(57)【要約】入力再生信号にゲインとオフセットを与えるゲインオフセット部と、Ａ／Ｄ変換部と、ピーク検出部と、ボトム検出部と、信号を演算する振幅検出部と、信号オフセットを演算するオフセット検出部と、入力信号の欠落を検出するドロップアウト検出部と、ゲインオフセット部のゲイン制御およびオフセット制御を行うとともに外部ホールド信号入力により制御動作のホールドあるいは制御速度の切り換えが可能な制御部で構成され、記録媒体の欠陥を検出して、ゲイン制御およびオフセット制御をホールドする、あるいは制御応答速度を変えることにより、常にＡ／Ｄ変換部入力における信号振幅およびオフセットを一定に保つ構成とした光ディスクシステム。
2003077248.tif 000002
【特許請求の範囲】
【請求項１】
情報記録媒体上の記録情報を再生するための信号処理装置において、
再生信号入力に対しゲイン制御信号入力に応じたゲインとオフセット制御信号入力に応じたＤＣオフセットを与えるゲインオフセット部と、
該ゲインオフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号および前記オフセット情報信号により前記ゲインオフセット部のゲイン制御およびオフセット制御を行うとともに、ホールド信号入力により制御動作のホールドあるいは制御速度の切り換えが可能な制御部とを備え、
再生信号入力の局所変動に依らず前記Ａ／Ｄ変換部入力における信号振幅およびオフセットを略一定に保つ、
ことを特徴とする信号処理装置。
【請求項２】
請求の範囲第１項記載の信号処理装置において、
前記Ａ／Ｄ変換部出力，前記ボトム検出部出力，前記オフセット検出部出力あるいは前記振幅情報信号の少なくとも１つを入力とし該入力信号の欠落を検出してホールド信号を出力するドロップアウト検出部をさらに備え、
前記ホールド信号により制御動作のホールドあるいは制御速度の切り換えが可能である、
ことを特徴とする信号処理装置。
【請求項３】
情報記録媒体上の記録情報を再生するための信号処理装置において、
再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号と振幅目標値との大小関係に応じて前記可変ゲインアンプ部の制御を行うとともに、ホールド信号入力によりゲイン制御動作のホールドあるいは制御速度の切り換えが可能なゲイン制御部と、
前記オフセット情報信号とオフセット目標値との大小関係に応じて前記オフセット部の制御を行うとともに、ホールド信号入力によりオフセット制御動作のホールドあるいは制御速度の切り換えが可能なオフセット制御部とを備え、
再生信号入力の局所変動に依らず前記Ａ／Ｄ変換部入力における信号振幅およびオフセットを略一定に保つ、
ことを特徴とする信号処理装置。
【請求項４】
請求の範囲第３項記載の信号処理装置において、
前記Ａ／Ｄ変換部出力，前記ピーク検出部出力，前記ボトム検出部出力，前記オフセット検出部出力あるいは前記振幅情報信号の少なくとも１つを入力とし該入力信号の欠落を検出してホールド信号を出力するドロップアウト検出部をさらに備え、
前記ホールド信号によりゲイン制御動作あるいはオフセット制御動作の少なくとも一方のホールドあるいは制御速度の切り換えが可能である、
ことを特徴とする信号処理装置。
【請求項５】
情報記録媒体上の記録情報を再生するための信号処理装置において、
再生信号入力に対しゲイン制御信号入力に応じたゲインとオフセット制御信号入力に応じたＤＣオフセットを与えるゲインオフセット部と、
該ゲインオフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力とし前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号および前記オフセット情報信号により前記ゲインオフセット部のゲイン制御およびオフセット制御を行う制御部と、
前記Ａ／Ｄ変換部から出力されるサンプリングデータをもとにこれに位相同期したクロックを生成するＰＬＬ部とを備え、
前記Ａ／Ｄ変換部入力における信号振幅およびオフセットを略一定に保つとともに再生速度に依らず前記制御部の応答特性を一定に保つ、
ことを特徴とする信号処理装置。
【請求項６】
請求の範囲第５項記載の信号処理装置において、
ホールド信号により制御動作のホールドあるいは制御速度の切り換えあるいはＰＬＬ制御動作のホールドが可能である、
ことを特徴とする信号処理装置。
【請求項７】
請求の範囲第５項記載の信号処理装置において、
前記Ａ／Ｄ変換部出力，前記ボトム検出部出力，前記オフセット検出部出力あるいは振幅情報信号の少なくとも１つを入力とし該入力信号の欠落を検出してホールド信号を出力するドロップアウト検出部をさらに備え、
該ホールド信号により制御動作のホールドあるいは制御速度の切り換えあるいはＰＬＬ制御動作のホールドが可能である、
ことを特徴とする信号処理装置。
【請求項８】
複数エリアに分割されて記録された光ディスク記録媒体上の記録情報を再生するための信号処理装置において、
第１の再生信号入力に対しゲイン制御信号入力に応じたゲインとオフセット制御信号入力に応じたＤＣオフセットとを与えるゲインオフセット部と、
該ゲインオフセット部出力とクロックとを入力とし所定クロック周期Ｔのクロックでサンプリングを行いアナログ−デジタル変換してサンプリングデータを出力するＡ／Ｄ変換部と、
該Ａ／Ｄ変換部出力を入力としピーク検出動作を行うピーク検出部と、
前記Ａ／Ｄ変換部出力を入力としボトム検出動作を行うボトム検出部と、
前記ピーク検出部出力および前記ボトム検出部出力を入力とし前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号および前記オフセット情報信号により前記ゲインオフセット部のゲイン制御およびオフセット制御を行うとともに、前記ゲート信号に応じてゲイン及びオフセットの記録エリアごとの独立制御が可能な制御部とを備え、
前記Ａ／Ｄ変換部入力における信号振幅およびオフセットを記録エリアに依ることなく略一定に保つことが可能な制御を行う、
ことを特徴とする信号処理装置。
【請求項９】
複数エリアに分割されて記録された光ディスク記録媒体上の記録情報を再生するための信号処理装置において、
第１の再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力とクロックとを入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力とし前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号と振幅目標値との大小関係に応じて前記可変ゲインアンプ部の制御を行うとともに、前記ゲート信号に応じて記録エリア毎に独立に振幅制御が可能なゲイン制御部と、
該ゲイン制御部から出力されるゲイン制御値を格納する１つまたは複数のゲイン記憶部と、
前記振幅情報信号と振幅目標値との大小関係に応じて前記オフセット部の制御を行うオフセット制御部とを備え、
前記Ａ／Ｄ変換部入力における信号振幅およびオフセットを記録エリアに依ることなく略一定に保つことが可能な制御を行う、
ことを特徴とする信号処理装置。
【請求項１０】
複数エリアに分割されて記録された光ディスク記録媒体上の記録情報を再生するための信号処理装置において、
第１の再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力とクロックとを入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号と振幅目標値との大小関係に応じて前記可変ゲインアンプ部の制御を行うゲイン制御部と、
前記オフセット情報信号とオフセット目標値との大小関係に応じて前記オフセット部の制御を行うとともに、前記ゲート信号に応じて記録エリア毎に独立にオフセット制御が可能なオフセット制御部と、
該オフセット制御部から出力されるオフセット制御値を格納する１つまたは複数のオフセット記憶部とを備え、
前記Ａ／Ｄ変換部入力における信号振幅およびオフセットを記録エリアに依ることなく略一定に保つことが可能な制御を行う、
ことを特徴とする信号処理装置。
【請求項１１】
複数エリアに分割されて記録された光ディスク記録媒体上の記録情報を再生するための信号処理装置において、
第１の再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力とクロックを入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、
前記ゲイン制御部から出力されるゲイン制御値を格納する１つまたは複数のゲイン記憶部と、
前記オフセット情報信号とオフセット目標値との大小関係に応じて前記オフセット部の制御を行うとともに、前記ゲート信号に応じて記録エリア毎に独立にオフセット制御が可能なオフセット制御部と、
該オフセット制御部から出力されるオフセット制御値を格納する１つまたは複数のオフセット記憶部とを備え、
前記Ａ／Ｄ変換部入力における信号振幅およびオフセットを記録エリアに依ることなく略一定に保つことが可能な制御を行う、
ことを特徴とする信号処理装置。
【請求項１２】
情報記録媒体上の記録情報を再生するための信号処理装置において、
再生信号入力に対しゲイン制御信号入力に応じたゲインとオフセット制御信号入力に応じたＤＣオフセットを与えるゲインオフセット部と、
該ゲインオフセット部出力を入力とし高周波数域を強調するイコライザ部と、
該イコライザ部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号および前記オフセット情報信号により前記ゲインオフセット部のゲイン制御およびオフセット制御を行うとともに、ホールド信号入力により制御動作のホールドあるいは制御速度の切り換えが可能な制御部とを備え、
再生信号入力の前記イコライザ部入力における信号振幅およびオフセットを略一定に保つとともに、前記Ａ／Ｄ変換部入力における信号振幅およびオフセットを略一定に保つ、
ことを特徴とする信号処理装置。
【請求項１３】
情報記録媒体上の記録情報を再生するための信号処理装置において、
再生信号入力に対しゲイン制御信号入力に応じたゲインを与える可変ゲインアンプ部と、
該可変ゲインアンプ部出力を入力とし高周波数域を強調するイコライザ部と、
該イコライザ部出力を入力としオフセット制御信号入力に応じたＤＣオフセットを印加するオフセット部と、
該オフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号と振幅目標値との大小関係に応じて前記可変ゲインアンプ部の制御を行うゲイン制御部と、
前記オフセット情報信号とオフセット目標値との大小関係に応じて前記オフセット部の制御を行うオフセット制御部とを備え、
再生信号入力の前記イコライザ部における入力の信号振幅を略一定に保つとともに、前記Ａ／Ｄ変換部入力における信号振幅およびオフセットを略一定に保つ、
ことを特徴とする信号処理装置。
【請求項１４】
情報記録媒体上の記録情報を再生するための信号処理装置において、
再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力を入力とし高周波数域を強調するイコライザ部と、
該イコライザ部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号と振幅目標値との大小関係に応じて前記可変ゲインアンプ部の制御を行うゲイン制御部と、
前記オフセット情報信号とオフセット目標値との大小関係に応じて前記オフセット部の制御を行うオフセット制御部とを備え、
再生信号入力の前記イコライザ部入力および前記Ａ／Ｄ変換部入力における信号振幅およびオフセットを略一定に保つ、
ことを特徴とする信号処理装置。
【請求項１５】
請求の範囲第１項記載の信号処理装置において、
前記ゲインオフセット部の内部処理を行わずに再生信号入力を直接前記Ａ／Ｄ変換部に入力することを可能とした、
ことを特徴とする信号処理装置。
【請求項１６】
請求の範囲第３項記載の信号処理装置において、
前記可変ゲインアンプ部の内部処理を行わずに前記再生信号入力を直接前記オフセット部に入力することを可能とした、
ことを特徴とする信号処理装置。
【請求項１７】
請求の範囲第８項記載の信号処理装置において、
前記第１の再生信号は前記情報記録媒体に記録された情報を再生する光ピックアップ部において複数に分割構成される光検出器の検出出力の和信号であり、
前記第２の再生信号は前記情報記録媒体の記録トラックを挟んで内周および外周に相当する光検出器の検出出力の差信号である、
ことを特徴とする信号処理装置。
【請求項１８】
請求の範囲第３項記載の信号処理装置において、
前記ゲイン制御部または前記オフセット制御部は、
該制御部の入力信号と所定目標値とを大小比較する比較器と、
該比較器出力の極性に応じてアップダウン切り替えが可能な積分カウンタ部と、
該積分カウンタ部出力を入力としデジタル−アナログ変換を行うＤ／Ａ変換部とで構成される、
ことを特徴とする信号処理装置。
【請求項１９】
請求の範囲第２項記載の信号処理装置において、
前記ドロップアウト検出部は、前記ピーク検出部出力を所定レベルで２値化した信号をその検出信号として出力する、
ことを特徴とする信号処理装置。
【請求項２０】
請求の範囲第２項記載の信号処理装置において、
前記ドロップアウト検出部は、前記振幅検出部出力を所定レベルで２値化した信号をその検出信号として出力する、
ことを特徴とする信号処理装置。
【請求項２１】
請求の範囲第１項記載の信号処理装置において、
前記振幅検出部出力を入力として、前記情報記録媒体に記録された信号を再生するピックアップ部のフォーカス制御位置あるいはトラッキング制御位置の学習を行なうとともに学習中は前記ホールド信号を出力するサーボコントローラをさらに備え、
学習期間中にはゲイン制御あるいはオフセット制御の少なくとも一方を強制的にホールドして学習する、
ことを特徴とする信号処理装置。
【請求項２２】
請求の範囲第１項記載の信号処理装置において、
前記振幅検出部出力を入力として、前記情報記録媒体に記録された信号を再生するピックアップ部のフォーカス制御位置あるいはトラッキング制御位置を学習するサーボコントローラをさらに備え、
学習前にゲイン制御あるいはオフセット制御の少なくとも一方の制御動作を行い、学習中はゲイン制御あるいはオフセット制御の少なくとも一方を強制的にホールドする、
ことを特徴とする信号処理装置。
【請求項２３】
情報記録媒体からの信号のピーク値の検出を行う工程と、
情報記録媒体からの信号のボトム値の検出を行う工程と、
ピーク値およびボトム値から信号振幅を演算して振幅情報信号を出力する工程と、
情報記録媒体からの信号のドロップアウトを検出する工程と、
振幅情報信号により入力信号の振幅を調整する工程と、
を含む信号処理方法において、
ドロップアウト検出時には、
入力信号の振幅調整をホールドもしくは調節周期を遅くさせる、
ことを特徴とする信号処理方法。
【請求項２４】
情報記録媒体からの信号のピーク値の検出を行う工程と、
情報記録媒体からの信号のボトム値の検出を行う工程と、
ピーク値およびボトム値を入力としオフセットを演算してオフセット情報信号を出力する工程と、
情報記録媒体からの信号のドロップアウトを検出する工程と、
オフセット情報信号により入力信号のオフセットを調整する工程と、
を含む信号処理方法において、
ドロップアウト検出時には、
入力信号のオフセット調整をホールドもしくは調節周期を遅くさせる、
ことを特徴とする信号処理方法。
【発明の詳細な説明】
技術分野
本発明は、情報記録媒体上の記録情報をアナログ−デジタル変換してデータ再生を行う再生信号処理系において、アナログ−デジタル変換部の入力ダイナミックレンジに信号を効率良く入力するための信号処理装置および信号処理方法に関する。
背景技術
近年、半導体プロセスの微細化にともないアナログ回路のデジタル化が進展し、これによる回路規模の削減、回路安定性の向上、消費電力の削減等の取り組みがなされている。また、デジタル化によりプロセスシュリンクへの対応が容易となり、開発効率の向上の利点も見出せる。
光ディスクの信号処理分野においても、ＰＲＭＬ（Ｐａｒｔｉａｌ  Ｒｅｓｐｏｎｓｅ  Ｍａｘｉｍｕｍ  Ｌｉｋｅｌｉｈｏｏｄ）等の技術を採用することにより、信号処理回路をアナログ信号処理回路からデジタル信号処理回路に置き換えることが可能であり、これにより再生性能能力の向上を図ることができる。
これに伴い、従来の信号処理回路では、アナログ信号からデジタル信号に変換する（以降、Ａ／Ｄ変換と呼ぶ）部分において効率良くＡ／Ｄ変換を行うこと、すなわちＡ／Ｄ変換器のダイナミックレンジ範囲内でかつ最大振幅でアナログ信号をデジタルに変換することが要求される。
第２０図は従来のこの種の信号処理装置のブロック図である。
この信号処理装置の従来例は、再生信号入力の低域を遮断することでＤＣオフセットを除去するハイパスフィルタ部１０１と、このハイパスフィルタ部１０１でＤＣオフセットを除去された再生入力信号に対し、ゲイン制御信号入力に応じたゲインを与える可変ゲインアンプ部１と、この可変ゲインアンプ部１の出力を入力としアナログ−デジタル変換を行うＡ／Ｄ変換部３と、このＡ／Ｄ変換部３で得られたサンプリングデータからそのピーク検出動作を行うピーク検出部４と、同サンプリングデータからそのボトム検出動作を行うボトム検出部５と、これらピーク検出値およびボトム検出値からＡ／Ｄ変換部３入力での信号振幅を演算する振幅検出部６と、この振幅検出部６で得られた振幅情報をもとにＡ／Ｄ入力振幅が一定になるように可変ゲインアンプ部１を制御するゲイン制御部８とで構成される。
上記構成の様に、Ａ／Ｄ変換部３の入力での信号振幅を検出してこれが一定になるようにフィードバック制御を行うことで、Ａ／Ｄ変換部３の入力信号がほぼダイナミックレンジ内に有効的に収まるよう制御することができる。
ところで、このような光ディスク等の情報記録媒体の記録変調方式の１つとして、ＤＣフリー方式がある。この方式は、信号の“Ｈ”区間と“Ｌ”区間との比率が５０：５０となるように記録を行う方式である。
しかし、情報記録媒体の記録変調方式がＤＣフリーでない場合、またはＤＣフリー方式であったとしても情報記録媒体の製造段階でのばらつきにより記録マークが本来の長さよりも大きく形成されたり小さく形成された場合等には、信号の“Ｈ”区間と“Ｌ”区間との比率が５０：５０からずれるため、再生信号の平均ＤＣレベルが再生信号の上下ピークのセンター位置からずれる現象が発生する。本現象は、記録条件が最適でない場合に多く発生し、一般的にアシンメトリと呼ばれる。アシンメトリを有する再生信号がハイパスフィルタ部１０１を通過すると、ＤＣ成分がカットされ、第２１図に示すようにＡ／Ｄ変換部３の入力信号にＤＣオフセットが発生する。ＤＣオフセットが大きくなると再生信号波形がＡ／Ｄ変換部３の入力ダイナミックレンジを越えてしまうため、波形の一部が欠落し正しいＡ／Ｄ変換が行えなくなってしまうという問題が発生する。
しかしながら、この問題は、例えば後述する特許文献１に示された第２の従来例により回避することができる。第２２図はこの特許文献１に示された従来の信号処理装置を第２１図のブロック構成との対比が容易になるように適宜書き換えたものである。
この信号処理装置の第２の従来例は、再生信号入力に対しゲイン制御信号入力に応じたゲインを与える可変ゲインアンプ部１と、この可変ゲインアンプ部１の出力に対し、オフセット制御信号入力に応じたＤＣオフセットを与えるオフセット部２と、このオフセット部２出力に対しアナログ−デジタル変換を行うＡ／Ｄ変換部３と、このＡ／Ｄ変換部３で得られたサンプリングデータからそのピーク検出動作を行うピーク検出部４と、同サンプリングデータからそのボトム検出動作を行うボトム検出部５と、これらピーク検出値およびボトム検出値からＡ／Ｄ変換部３入力の信号振幅を演算する振幅検出部６と、ピーク検出値とボトム検出値との平均値からＡ／Ｄ変換部入力での信号のセンター値を演算するオフセット検出部７と、振幅検出部６で得られた振幅情報をもとにＡ／Ｄ入力振幅が一定になるように可変ゲインアンプ部１を制御するゲイン制御部８と、オフセット検出部７で得られたオフセット情報をもとにＡ／Ｄ入力信号のセンターがＡ／Ｄ変換部３の入力ダイナミックレンジのセンターとなるように制御を行うオフセット制御部９とで構成される。
本従来例では、Ａ／Ｄ変換部３入力での信号振幅を検出して一定にする制御ループと、信号のセンター値を検出してオフセットコントロールする制御ループの２つの制御ループを持つことで、Ａ／Ｄ変換部３の入力信号の信号振幅およびオフセットを制御し、該入力信号をＡ／Ｄ変換部の入力ダイナミックレンジに効率的に収めるようにすることができる。
特許文献１：特許第３０６７２９８号（第７−１１頁  第２図，第４図）
しかしながら、情報記録媒体上にゴミ等の付着物、傷等により入力信号が第２３（ａ）図の様に欠落した場合には、上述した第２の従来例ではゲインおよびオフセットの両者を制御しているために、信号欠落部で可変ゲインアンプ部のゲインが大きくなり、オフセット部は信号をセンターに戻すよう動作するため、Ａ／Ｄ変換部入力では第２３（ｂ）図の様な波形の信号になる。第２３図からも分かるように、信号欠落部を通過した後、再生信号がＡ／Ｄ変換部の入力ダイナミックレンジをオーバーし、その後これを入力ダイナミックレンジに収まる正常状態に引き込むまでの無駄時間が発生し、この期間は正しくデータ再生が出来ないといった問題が発生する。例えば、２ｍｍの欠陥があった場合には、無駄時間のため実際には３ｍｍ相当の期間、波形異常が続くといったことが生じ、再生能力を低下させる要因となっていた。
また、ドロップアウト期間中はオフセット制御により再生信号のボトムがＡ／Ｄ変換部３の入力ダイナミックレンジのセンターに漸近するため、例えばピーク検出部４出力と所定閾値との比較結果を、欠陥（以下ではドロップアウトと呼ぶ）検出信号として採用した場合、第２３（ｃ）図に示すようにドロップアウト検出信号が信号欠落期間途中で中断してしまい、後段のＰＬＬ（Ｐｈａｓｅ  Ｌｏｃｋｅｄ  Ｌｏｏｐ）回路、あるいはフォーカス制御、トラッキング制御等の周辺回路ホールドが正しくできないといった問題があった。
さらに、上記従来例においてはゲインおよびオフセットの両方をコントロールする必要があり、回路規模が大きくなり、消費電力も増大するといった問題もあった。
本発明は、上記従来の問題点を解決するためになされたもので、信号欠落部通過後にＡ／Ｄ変換部の入力ダイナミックレンジを越える現象を抑圧し、また同時にドロップアウト検出の検出精度の向上を図ることが可能な信号処理装置および信号処理方法を提供することを目的とする。
発明の開示
上記目的を達成するために本発明は、再生信号入力に対しゲイン制御信号入力に応じたゲインとオフセット制御信号入力に応じたＤＣオフセットを与えるゲインオフセット部と、該ゲインオフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記Ａ／Ｄ変換出力，前記ボトム検出部出力，前記オフセット検出部出力あるいは前記振幅情報信号の少なくとも１つを入力とし該入力信号の欠落を検出してホールド信号を出力するドロップアウト検出部と、前記振幅情報信号および前記オフセット情報信号により前記ゲインオフセット部のゲイン制御およびオフセット制御を行うとともに、前記ホールド信号入力により制御動作のホールドあるいは制御速度の切り換えが可能な制御部とで構成されるものである。上記構成により、記録媒体の欠陥等により発生する再生信号の局所変動を検出して、ゲイン制御およびオフセット制御をホールドする、あるいは制御応答速度を変えることにより、再生信号が欠陥通過後にＡ／Ｄ変換部の入力ダイナミックレンジをオーバーする現象を抑えることが可能であり、常にＡ／Ｄ変換部入力における信号振幅およびオフセットをほぼ一定に保つことができる。
また、本発明は再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記Ａ／Ｄ変換出力，前記ピーク検出部出力，前記ボトム検出部出力，前記オフセット検出部出力あるいは前記振幅情報信号の少なくとも１つを入力とし該入力信号の欠落を検出してホールド信号を出力するドロップアウト検出部と、前記振幅情報信号と振幅目標値との大小関係に応じて前記可変ゲインアンプ部の制御を行うとともに、前記ホールド信号入力によりゲイン制御動作のホールドあるいは制御速度の切り換えが可能なゲイン制御部と、前記オフセット情報信号とオフセット目標値との大小関係に応じて前記オフセット部の制御を行うとともに、前記ホールド信号入力によりオフセット制御動作のホールドあるいは制御速度の切り換えが可能なオフセット制御部とで構成されるものである。上記構成により、記録媒体の欠陥等により発生する再生信号の局所変動を検出して、ゲイン制御およびオフセット制御をホールドするあるいは制御応答速度を変えることにより、再生信号が欠陥通過後にＡ／Ｄ変換部の入力ダイナミックレンジをオーバーする現象を抑えることが可能であり、常にＡ／Ｄ変換部入力における信号振幅およびオフセットをほぼ一定に保つことができる。
また、本発明は再生信号入力に対しゲイン制御信号入力に応じたゲインとオフセット制御信号入力に応じたＤＣオフセットとを与えるゲインオフセット部と、該ゲインオフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記Ａ／Ｄ変換部出力，前記ピーク検出部出力，前記ボトム検出部出力，前記オフセット検出部出力あるいは前記振幅情報信号の少なくとも１つを入力とし該入力信号の欠落を検出してホールド信号を出力するドロップアウト検出部と、前記振幅情報信号および前記オフセット情報信号により前記ゲインオフセット部のゲイン制御およびオフセット制御を行う制御部と、前記Ａ／Ｄ変換部から出力されるサンプリングデータをもとにこれに位相同期したクロックを生成するＰＬＬ部とで構成されるものである。上記構成により、Ａ／Ｄ変換部のサンプリングクロックをＰＬＬクロックとすることでＣＡＶ（Ｃｏｎｓｔａｎｔ  Ａｎｇｕｌａｒ  Ｖｅｌｏｃｉｔｙ、定角速度）再生対応が容易になり、また、ピーク検出部およびボトム検出部の動作クロックをＰＬＬクロックの１／ｍおよび１／ｎ（ｍ、ｎは正の整数）とすることで動作クロック周波数を下げて消費電力の削減を図ることができる。また、記録媒体の欠陥等により発生する再生信号の局所変動を検出して、ゲイン制御およびオフセット制御およびＰＬＬ制御をホールドする、あるいは制御応答速度を変えることにより、再生信号が欠陥通過後にＡ／Ｄ変換部の入力ダイナミックレンジをオーバーする現象を抑えることが可能であり、常にＡ／Ｄ変換部入力における信号振幅およびオフセットをほぼ一定に保ち、安定なＡ／Ｄ変換処理ができる。
また、本発明は第１の再生信号入力に対しゲイン制御信号入力に応じたゲインとオフセット制御信号入力に応じたＤＣオフセットを与えるゲインオフセット部と、該ゲインオフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力としピーク検出動作を行うピーク検出部と、前記Ａ／Ｄ変換部出力を入力としボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号および前記オフセット情報信号により前記ゲインオフセット部のゲイン制御およびオフセット制御を行うとともに、前記ゲート信号に応じてゲイン及びオフセットの記録エリア毎の独立制御が可能な制御部とで構成されるものである。上記構成により、異なる記録エリアを検出してゲート信号を生成することで、記録エリア毎に独立にゲイン制御およびオフセット制御を行うことができる。
また、本発明は第１の再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、該ゲイン制御部から出力されるゲイン制御値を格納する１つまたは複数のゲイン記憶部と、前記オフセット情報信号とオフセット目標値との大小関係に応じて前記オフセット部の制御を行うとともに、前記ゲート信号に応じて記録エリア毎に独立にオフセット制御が可能なオフセット制御部とで構成されるものである。上記構成により、異なる記録エリアを検出してゲート信号を生成することで、記録エリア毎に独立にゲイン制御およびオフセット制御を行うことができる。
また、本発明は第１の再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、前記オフセット情報信号とオフセット目標値との大小関係に応じて前記オフセット部の制御を行うとともに、前記ゲート信号に応じて記録エリア毎に独立にオフセット制御が可能なオフセット制御部と、該オフセット制御部から出力されるオフセット制御値を格納する１つまたは複数のオフセット記憶部とで構成されるものである。上記構成により、異なる記録エリアを検出してゲート信号を生成することで、記録エリア毎に独立にゲイン制御およびオフセット制御を行うことができる。
また、本発明は第１の再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、該ゲイン制御部から出力されるゲイン制御値を格納する１つまたは複数のゲイン記憶部と、前記オフセット情報信号とオフセット目標値との大小関係に応じて前記オフセット部の制御を行うとともに、前記ゲート信号に応じて記録エリア毎に独立にオフセット制御が可能なオフセット制御部と、該オフセット制御部から出力されるオフセット制御値を格納する１つまたは複数のオフセット記憶部とで構成されるものである。上記構成により、異なる記録エリアを検出してゲート信号を生成することで、記録エリア毎に独立にゲイン制御およびオフセット制御を行うことができる。
また、本発明は再生信号入力に対しゲイン制御信号入力に応じたゲインとオフセット制御信号入力に応じたＤＣオフセットを与えるゲインオフセット部と、該ゲインオフセット部出力を入力とし高周波数域を強調するイコライザ部と、該イコライザ部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記振幅情報信号および前記オフセット情報信号により前記ゲインオフセット部のゲイン制御およびオフセット制御を行うとともに、ホールド信号入力により制御動作のホールドあるいは制御速度の切り換えが可能な制御部とで構成されるものである。上記構成により、イコライザ部入力の信号振幅およびオフセットを略一定に保つとともにＡ／Ｄ変換部入力における信号振幅およびオフセットを略一定に保つことができる。
また、本発明は再生信号入力に対しゲイン制御信号入力に応じたゲインを与える可変ゲインアンプ部と、該可変ゲインアンプ部出力を入力とし高周波数域を強調するイコライザ部と、該イコライザ部出力を入力としオフセット制御信号入力に応じたＤＣオフセットを印加するオフセット部と、該オフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記振幅情報信号と振幅目標値との大小関係に応じて前記可変ゲインアンプ部の制御を行うゲイン制御部と、前記オフセット情報信号とオフセット目標値との大小関係に応じて前記オフセット部の制御を行うオフセット制御部とで構成されるものである。上記構成により、イコライザ入力の信号振幅を略一定に保つとともにＡ／Ｄ変換部入力における信号振幅およびオフセットを略一定に保つことができる。
また、本発明は再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力を入力とし高周波数域を強調するイコライザ部と、該イコライザ部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記振幅情報信号と振幅目標値との大小関係に応じて前記可変ゲインアンプ部の制御を行うゲイン制御部と、前記オフセット情報信号とオフセット目標値との大小関係に応じて前記オフセット部の制御を行うオフセット制御部とで構成されるものである。上記構成により、イコライザ入力の信号振幅およびオフセットを略一定に保つとともにＡ／Ｄ変換部入力における信号振幅およびオフセットを略一定に保つことができる。
また、本発明おけるゲインオフセット部は内部処理を行わずに再生信号入力を直接前記Ａ／Ｄ変換部に入力することを可能としたものであり、再生信号入力を直接Ａ／Ｄ変換部に入力することで再生信号の絶対的な振幅値の測定ができる。
また、本発明における可変ゲインアンプ部は内部処理を行わずに再生信号入力を直接前記Ａ／Ｄ変換部に入力することを可能としたものであり、再生信号入力をオフセット部に入力することで絶対的な再生信号振幅値の測定ができる。
また、本発明は振幅検出部出力を入力として再生信号振幅情報をもとにピックアップ部のフォーカス制御位置あるいはトラッキング制御位置の学習を行うサーボコントローラをさらに備えたものであり、学習中はゲイン制御あるいはオフセット制御の少なくとも一方を強制的にホールドすることで入力再生信号の振幅変化を振幅検出部出力に伝達することが可能である。
また、本発明は振幅検出部出力を入力として再生信号振幅情報をもとにピックアップ部のフォーカス制御位置あるいはトラッキング制御位置の学習を行うサーボコントローラをさらに備えたものであり、学習前にゲイン制御あるいはオフセット制御の少なくとも一方の制御動作を行い、両制御が整定した後に学習動作に入り、学習中はゲイン制御あるいはオフセット制御の少なくとも一方を強制的にホールドすることで入力再生信号を略一定になるように正規化し、かつ振幅変化を振幅検出部出力に伝達することが可能である。
また、本発明は情報記録媒体からの信号のピーク値の検出を行う工程と、情報記録媒体からの信号のボトム値の検出を行う工程と、ピーク値およびボトム値から信号振幅を演算して振幅情報信号を出力する工程と、情報記録媒体からの信号のドロップアウトを検出する工程と、振幅情報信号により入力信号の振幅を調整する工程と、を含む信号処理方法において、ドロップアウト検出時には、入力信号の振幅調整をホールドもしくは調節周期を遅くさせる、ようにしたものである。上記構成により、記録媒体の欠陥等により発生する再生信号の局所変動を検出して、ゲイン制御をホールドする、あるいは制御応答速度を変えることにより、入力信号が欠陥通過後にダイナミックレンジをオーバーする現象を抑えることが可能であり、常に入力信号の信号振幅をほぼ一定に保つことができる。
さらに、本発明は情報記録媒体からの信号のピーク値の検出を行う工程と、情報記録媒体からの信号のボトム値の検出を行う工程と、ピーク値およびボトム値を入力としオフセットを演算してオフセット情報信号を出力する工程と、情報記録媒体からの信号のドロップアウトを検出する工程と、オフセット情報信号により入力信号のオフセットを調整する工程と、を含む信号処理方法において、ドロップアウト検出時には、入力信号のオフセット調整をホールドもしくは調節周期を遅くさせる、ようにしたものである。上記構成により、記録媒体の欠陥等により発生する再生信号の局所変動を検出して、オフセット制御をホールドする、あるいは制御応答速度を変えることにより、入力信号が欠陥通過後にダイナミックレンジをオーバーする現象を抑えることが可能であり、常に入力信号のオフセットをほぼ一定に保つことができる。
発明を実施するための最良の形態
（実施の形態１）
この実施の形態１は、特許請求の範囲第１項，第２項，第１５項，第１９項，第２０項，第２３項および第２４項に記載の発明に対応するもので、Ａ／Ｄ変換部３から出力されるサンプリングデータから欠陥検出を行い、ゲイン制御あるいはオフセット制御の少なくとも一方をホールドする、あるいは制御速度を変えることで、信号欠落部通過後にＡ／Ｄ変換部の入力ダイナミックレンジを越える現象を抑圧し、同時にドロップアウト検出の検出精度の向上を図ることが可能なようにしたものである。
以下、本発明の第１の実施の形態について図面を参照しながら詳細に説明する。この実施の形態１による信号処理装置のブロック図を第１図に示す。
この信号処理装置は、再生信号入力に対し制御信号入力に応じたゲインとオフセット制御信号入力に応じたＤＣオフセットを与えるゲインオフセット部１０と、このゲインオフセット部１０出力を入力とし所定クロック周期Ｔのクロックでサンプリングを行いアナログ−デジタル変換を行ってサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、Ａ／Ｄ変換部３出力を入力とし、その入力信号の欠落を検出してホールド信号を出力するドロップアウト検出部１１と、振幅情報信号およびオフセット情報信号によりゲインオフセット部１０のゲイン制御およびオフセット制御を行うとともに、ホールド信号入力により制御動作のホールドあるいは制御速度の切り換えが可能な制御部１２とで構成されるものである。
次に、この実施の形態１の動作について説明する。情報記録媒体からの再生信号はゲインオフセット部１０で制御入力に応じたゲインとオフセットとが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ここで、ピーク検出部４は、例えば第２図に示すように、セレクタ１３と、値を一時的に保持するレジスタ１４と、減算器１５と、比較器１６とで構成され、レジスタ１４に保持された，現在より１サンプル前のサンプリング値と、現在のサンプリング値とを比較器１６で比較して、現在のサンプリング値の方が大きければレジスタ１４に現在のサンプリング値を格納し、それ以外の時にはレジスタ１４の書き換えは行わない。この動作を連続的に行うことでデジタル信号のピークが検出される。ただし、このままでは最大値を検出するのみで、振幅が低下する方向の再生信号振幅変動に追従できないため、減算器１５でレジスタ１４保持値から所定値を所定クロック間隔毎に減算し、現在のサンプリング値の方が減算器１５出力より小さければ減算器１５出力でレジスタ１４の値を書き換える。
この動作を具体的に図示すると第３図の様になる。第３図における○はＡ／Ｄ変換部３のサンプリング値を表し、△はピーク検出後１クロックごとに所定値を減算していく様子を示している。この減算量は欠陥通過時の信号落ち込み速度に対して追従できる程度に設定するのが望ましい。また、ここではピーク検出およびボトム検出をＡ／Ｄ変換部３と同じクロックで動作するものとして説明したが、ＣＤ（コンパクトディスク）ではＥＦＭ、ＤＶＤ（デジタルバーサタイルディスク）では８−１６変調といった変調方式がとられており、マーク長は３Ｔから１１Ｔあるいは１４Ｔ（Ｔはクロックの１周期）で分布し、５Ｔ以上の長いマークでは再生信号振幅がほぼ飽和振幅に達するため、第１図に示すようにピーク検出およびボトム検出をともにｎＴ周期（ｎは正の整数）で動作させても、あるいはそれぞれｍＴ周期あるいはｎＴ周期（ｍ，ｎは互いに独立した正の整数）で動作させても、ピーク検出およびボトム検出が可能であり、実用上問題はない。このように、ピーク検出およびボトム検出を分周クロックで動作させることにより消費電力の削減を図ることが可能である。
また、ボトム検出部５の動作は、ピーク検出部４の動作の極性を反転させれば実現できる。
次に、ピーク検出値およびボトム検出値から振幅検出部６で振幅検出を、オフセット検出部７でオフセット検出を、それぞれ行う。例えば振幅検出はピーク値とボトム値との差を演算することで、またオフセット検出はピーク値とボトム値との和あるいはＡ／Ｄセンターレベルからの距離の差、あるいはピーク値およびボトム値がそれぞれ所定のウィンドウ範囲に入っているか否かを検出する等によって得ることができる。制御部１２は振幅検出値と振幅目標値とを比較して、振幅検出値が目標値よりも小さいときはゲインオフセット部１０のゲインを上げるように制御出力し、逆に振幅検出値が目標値よりも大きいときはゲインオフセット部１０のゲインを下げるように制御出力する。制御部１２は振幅検出値と振幅目標値とを比較して、振幅検出値が目標値よりも小さいときはゲインオフセット部１０の出力信号振幅を上げるように制御出力し、逆に振幅検出値が目標値よりも大きいときはゲインオフセット部１０の出力信号振幅を下げるように制御出力する。また、制御部１２はオフセット検出値と所定オフセット目標値とを比較して、オフセット検出値が目標値よりも小さいときはゲインオフセット部１０の出力信号オフセットを上げるように制御出力し、逆にオフセット検出値が目標値よりも大きいときはゲインオフセット部１０の出力信号オフセットを下げるように制御出力する。ドロップアウト検出部１１では、例えばピーク検出部４出力を所定閾値で２値化することで再生信号の欠落を検出し、この欠落検出信号を用いて制御部１２の制御動作を強制的にホールドする、あるいは制御応答速度を遅くすることで、第２３（ｂ）図のような過敏な応答を抑制して第２４（ｂ）図の様な波形にすることができる。
このようにして、記録媒体の欠陥等により発生する再生信号の局所変動を検出して、ゲイン制御およびオフセット制御をホールドする、あるいは制御応答速度を変えることにより、再生信号が欠陥通過後にＡ／Ｄ変換部３での入力ダイナミックレンジをオーバーする現象を抑えることが可能であり、常にＡ／Ｄ変換部３入力における信号振幅およびオフセットをほぼ一定に保つことができるため、信号欠落部を通過した後、再生信号がＡ／Ｄ変換部３の入力ダイナミックレンジに入り正常状態に引き込むまで無駄時間がかかって正しくデータ再生が出来ないといった問題がなくなり、欠陥通過後のデータエラーを最小限に抑えることができるという有効な効果がある。さらに、ドロップアウト検出の検出信号が第２３（ｃ）図の様に欠落途中で中断することなく第２４（ｃ）図の様に正しく検出することができるため、Ａ／Ｄ変換後にドロップアウト検出するシステムにおいては有効である。
なお、ここではドロップアウト検出部１１出力により制御部のホールドあるいは制御応答速度の切り換えを行ったが、これは本信号処理装置の外部でドロップアウトを検出する、等により生成した信号であっても構わない。またドロップアウトを検出した時にではなく、動作のホールドを希望する際に外部から入力する信号であっても構わない。
また、ドロップアウト検出部１１はＡ／Ｄ変換部３出力を入力するものとしたが、これは、Ａ／Ｄ変換部３出力，ボトム検出部５出力，オフセット検出部７出力，振幅情報信号の少なくとも１つを入力するようにしても構わない。
さらに、第１７図に示すようにスルーパス１０ａ、即ちゲインオフセット部１０を通らない経路を設けて振幅情報信号を出力しこれをスイッチ３ａを介してＡ／Ｄ変換部３に入力することにより、入力再生信号の信号振幅の絶対値情報を得ることが可能である。光ディスクプレーヤ等ではディスクの種別を判別する際に再生信号の信号振幅の絶対値情報を使用する場合が多く、こうした場合においてゲインオフセット部を通さずに信号振幅測定を可能にすることができる。
（実施の形態２）
この実施の形態２は、特許請求の範囲第３項，第４項，第１６項および第１８項に記載の発明に対応するもので、実施の形態１におけるゲインオフセット部および制御部の具体的な構成例を示すものである。
以下、本発明の第２の実施の形態について図面を参照しながら詳細に説明する。この実施の形態２による信号処理装置のブロック図を第４図に示す。
この信号処理装置は、第４（ａ）図に示すように、再生信号入力に対しゲイン制御信号入力に応じたゲインを与える可変ゲインアンプ部１と、この可変ゲインアンプ部１出力を入力としオフセット制御信号入力に応じたＤＣオフセットを印加するオフセット部２と、このオフセット部２出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、ピーク検出部４出力を入力としこの入力信号の欠落を検出してホールド信号を出力するドロップアウト検出部１１と、振幅情報信号と振幅目標値との大小関係に応じて可変ゲインアンプ部１の制御を行うとともに、ホールド信号入力によりゲイン制御動作のホールドあるいは制御速度の切り換えが可能なゲイン制御部８と、オフセット情報信号とオフセット目標値との大小関係に応じてオフセット部２の制御を行うとともに、外部ホールド信号入力によりオフセット制御動作のホールドあるいは制御速度の切り換えが可能なオフセット制御部９とで構成される。
そして、この可変ゲインアンプ部１およびオフセット部２が、実施の形態１のゲインオフセット部１０に、また、ゲイン制御部８およびオフセット制御部９が実施の形態１の制御部１２に、それぞれ対応するものである。
また、第４（ｂ）図に示すように、ゲイン制御部８は例えばその入力信号と所定目標値とを大小比較する比較器８ａと、この比較器８ａ出力の極性に応じてアップダウン切り替えが可能な積分カウンタ部８ｂと、この積分カウンタ部８ｂ出力を入力としデジタル−アナログ変換を行うＤ／Ａ変換部８ｃとで構成することができ、Ｄ／Ａ変換部８ｃは可変ゲインアンプ部に１に対しそのゲインを制御する制御信号を出力する。オフセット制御部９もゲイン制御部８と同様に構成され、オフセット部２に対しそのオフセット量を制御する制御信号を出力する。
次に、この実施の形態２の動作について説明する。情報記録媒体からの再生信号は可変ゲインアンプ部１でゲイン制御入力に応じたゲインが与えられ、オフセット部２でオフセット制御入力に応じたオフセットが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第４図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
次に、これらピーク検出値およびボトム検出値から振幅検出部６で振幅検出を行い、オフセット検出部７でオフセット検出を行う。例えば振幅検出はピーク値とボトム値との差を演算することで、またオフセット検出はピーク値とボトム値との和あるいはＡ／Ｄセンターレベルからの距離の差あるいは、ピーク値およびボトム値がそれぞれ所定のウィンドウ範囲に入っているか否かを検出する等により得ることができる。ゲイン制御部８は振幅検出値と所定振幅目標値とを比較して、振幅検出値が目標値よりも小さいときは可変ゲインアンプ部１のゲインを上げるように制御出力し、逆に振幅検出値が目標値よりも大きいときは可変ゲインアンプ部１のゲインを下げるように制御出力する。ゲイン制御部８は振幅検出値と所定振幅目標値とを比較して、振幅検出値が目標値よりも小さいときは可変ゲインアンプ部１の出力信号振幅を上げるように制御出力し、逆に振幅検出値が目標値よりも大きいときは可変ゲインアンプ部１の出力信号振幅を下げるように制御出力する。また、オフセット制御部９はオフセット検出値と所定オフセット目標値とを比較して、オフセット検出値が目標値よりも小さいときはオフセット部２の出力信号オフセットを上げるように制御出力し、逆にオフセット検出値が目標値よりも大きいときはオフセット部２の出力信号オフセットを下げるように制御出力する。ドロップアウト検出部１１では、例えばピーク検出部４出力を所定閾値で２値化することで再生信号の欠落を検出し、この信号を用いて制御部１２の制御動作を強制的にホールドする、あるいは制御応答速度を遅くすることで、第２３（ｂ）図のような過敏な応答を抑制して第２４（ｂ）図の様な波形にすることができる。
このようにして、記録媒体の欠陥等により発生する再生信号の局所変動を検出して、ゲイン制御およびオフセット制御をホールドする、あるいは制御応答速度を変えることにより、再生信号が欠陥通過後にＡ／Ｄ変換部３の入力ダイナミックレンジをオーバーする現象を抑えることが可能であり、常にＡ／Ｄ変換部３入力における信号振幅およびオフセットをほぼ一定に保つことができるため、信号欠落部を通過した後、再生信号がＡ／Ｄ変換部３の入力ダイナミックレンジに入り正常状態に引き込むまで無駄時間がかかって正しくデータ再生が出来ないといった問題がなくなり、欠陥通過後のデータエラーを最小限に抑えることができるという有効な効果がある。さらに、ドロップアウト検出の検出信号が第２３（ｃ）図の欠落途中で中断することがなく第２４（ｃ）図の様に正しく検出することができるため、特にＡ／Ｄ変換後にドロップアウト検出する構成をとる場合に有効である。
なお、ここではドロップアウト検出部１１出力によりゲイン制御部８のホールドあるいは制御応答速度の切り換えを行ったが、これは本信号処理装置の外部でドロップアウトを検出し生成した信号であっても構わない。またドロップアウトを検出した時にではなく、動作のホールドを希望する際に外部から入力する信号であっても構わない。
また、ドロップアウト検出部１１はピーク検出部４出力を入力するものとしたが、これは、ピーク検出部４出力，Ａ／Ｄ変換部３出力，ボトム検出部５出力，オフセット検出部７出力，振幅情報信号の少なくとも１つを入力するようにしても構わない。
さらに、第１８図に示すようにスルーパス１ａ、即ち可変ゲインアンプ部１を通らない経路を設けて振幅情報信号を出力しこれをスイッチ２ａを介してオフセット部２に入力することにより、入力再生信号の信号振幅の絶対値情報を得ることが可能である。光ディスクプレーヤ等ではディスクの種別を判別する際に再生信号の信号振幅の絶対値情報を使用する場合が多く、こうした場合において可変ゲインアンプ部を通さずに信号振幅測定を可能にすることができる。
（実施の形態３）
この実施の形態３は、特許請求の範囲第５項に記載の発明に対応するもので、入力再生信号から再生したクロックをサンプリングクロックとして用いるようにしたものである。
以下、本発明の第３の実施の形態について図面を参照しながら詳細に説明する。
この実施の形態３による信号処理装置のブロック図を第５図に示す。
この信号処理装置は、再生信号入力に対しゲイン制御信号入力に応じたゲインとオフセット制御信号入力に応じたＤＣオフセットとを与えるゲインオフセット部１０と、このゲインオフセット部１０出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号およびオフセット情報信号によりゲインオフセット部１０のゲイン制御およびオフセット制御を行う制御部１２と、Ａ／Ｄ変換部３から出力されるサンプリングデータをもとにこれに位相同期したクロックを生成するＰＬＬ部１７とで構成される。
次に、第３の実施の形態の動作について説明する。情報記録媒体からの再生信号はゲインオフセット部１０で制御入力に応じたゲインとオフセットとが与えられた後、Ａ／Ｄ変換部３によりＰＬＬ部１７の出力クロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第５図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
次に、ピーク検出値およびボトム検出値から振幅検出部６で振幅検出、オフセット検出部７でオフセット検出を行う。例えば振幅検出はピーク値とボトム値との差を演算することで、またオフセット検出はピーク値とボトム値との和あるいはＡ／Ｄセンターレベルからの距離の差あるいは、ピーク値およびボトム値がそれぞれ所定のウィンドウ範囲に入っているか否かを検出する等により得ることができる。制御部１２の動作については第１の実施の形態と同様であり、振幅検出値およびオフセット検出値に応じて、ゲインオフセット部１０の出力振幅、および、オフセットが所定目標値となるように制御を行う。ＰＬＬ部１７では再生信号が有するクロック成分抽出を行い、これにより生成されたクロックはＡ／Ｄ変換部３のサンプリングクロックとして用いる。ＰＬＬ部１７は、例えばＡ／Ｄ変換部３から出力されるサンプリングデータから位相誤差情報を抽出し、この誤差情報をもとに電圧制御発振器等を駆動して位相同期クロックの生成を行うものである。
このようにＡ／Ｄ変換部３のサンプリングクロックを、再生信号に位相同期したＰＬＬクロックとすることで再生速度に応じてＡ／Ｄ変換部３のサンプリング速度が自動的に変化し、これに伴いピーク検出およびボトム検出の時定数も適応的に変化し、ＣＡＶ再生対応が容易になり、また、ピーク検出部４およびボトム検出部５の動作クロックをＰＬＬクロックの１／ｎ（ｎは正の整数）とすることで動作クロック周波数を下げて消費電力の削減を図ることができる。このため、常にＡ／Ｄ変換部３入力における信号振幅およびオフセットはほぼ一定を保ち、安定なＡ／Ｄ変換処理ができる。
（実施の形態４）
この実施の形態４は、特許請求の範囲第６項，第７項に記載の発明に対応するもので、ドロップアウト等の検出時に再生クロックの発振周波数を固定するようにしたものである。
以下、本発明の第４の実施の形態について図面を参照しながら詳細に説明する。この実施の形態４による信号処理装置のブロック図を第６図に示す。
この信号処理装置は、再生信号入力に対しゲイン制御信号入力に応じたゲインとオフセット制御信号入力に応じたＤＣオフセットとを与えるゲインオフセット部１０と、このゲインオフセット部１０出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、ピーク検出部４出力を入力としこの入力信号の欠落を検出してホールド信号を出力するドロップアウト検出部１１と、振幅情報信号およびオフセット情報信号によりゲインオフセット部１０のゲイン制御およびオフセット制御を行う制御部１２と、Ａ／Ｄ変換部３から出力されるサンプリングデータをもとにこれに位相同期したクロックを生成するＰＬＬ部１７とで構成される。
次に、第４の実施の形態の動作について説明する。情報記録媒体からの再生信号はゲインオフセット部１０で制御入力に応じたゲインとオフセットとが与えられた後、Ａ／Ｄ変換部３によりＰＬＬ部１７の出力クロックでサンプリングされて量子化デジタル信号に変換される。このデジタル信号に対しピーク検出部４およびボトム検出部５でそのピーク検出およびボトム検出を行う。ピーク検出およびボトム検出動作については実施の形態１と同様であり、ともに所定クロック周期Ｔのクロックと同周期のクロックでこれを行ってもよいが、第６図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
次に、ピーク検出値およびボトム検出値から振幅検出部６で振幅検出を行い、オフセット検出部７でオフセット検出を行う。例えば振幅検出はピーク値とボトム値との差を演算することで、またオフセット検出はピーク値とボトム値との和あるいはＡ／Ｄセンターレベルからの距離の差、あるいは、ピーク値およびボトム値がそれぞれ所定のウィンドウ範囲に入っているか否かを検出する等により得ることができる。制御部１２の動作については第１の実施の形態と同様であり、振幅検出値およびオフセット検出値に応じて、ゲインオフセット部１０の出力振幅、オフセットが所定目標値となるように制御を行う。ＰＬＬ部１７では再生信号が有するクロック成分抽出を行い、これにより生成されたクロックはＡ／Ｄ変換部３のサンプリングクロックとして用いる。ＰＬＬ部１７は、例えばＡ／Ｄ変換部３から出力されるサンプリングデータから位相誤差情報を抽出し、この誤差情報をもとに電圧制御発振器等を駆動して位相同期クロックの生成を行うものである。実施の形態１でも述べたように、ドロップアウト検出部１１で得られた信号で制御部１２の制御動作を強制的にホールドする、あるいは制御応答速度を遅くするとともに、ここではＰＬＬ部１７から出力されるサンプリングクロック周波数のホールドする、あるいは周波数応答速度を遅くするように制御する。
このようにＡ／Ｄ変換部３のサンプリングクロックを再生信号に位相同期したＰＬＬクロックとすることで再生速度に応じてＡ／Ｄ変換部３のサンプリング速度も自動的に変化するため、ＣＡＶ再生対応が容易になり、また、ピーク検出部４およびボトム検出部５の動作クロックをＰＬＬクロックの１／ｎ（ｎは正の整数）の周波数とすることで動作クロック周波数を下げて消費電力の削減を図ることができる。
さらに、記録媒体の欠陥等により発生する再生信号の局所変動を検出して、ゲイン制御およびオフセット制御およびＰＬＬ制御のホールドする、あるいは制御応答速度を変えることにより、欠陥通過中および通過後の再生信号がＡ／Ｄ変換部３の入力ダイナミックレンジをオーバーする現象を抑え、サンプリングクロックを安定に保つことが可能であり、常にＡ／Ｄ変換部入力における信号振幅およびオフセットをほぼ一定に保つことができるため、信号欠落部を通過した後、再生信号がＡ／Ｄ変換部の入力ダイナミックレンジに入り正常状態に引き込むまで無駄時間がかかって正しくデータ再生が出来ないといった問題がなくなり、欠陥通過後のデータエラーを最小限に抑えることができるという有効な効果がある。また、ドロップアウト検出の検出信号が第２３（ｃ）図の様に欠落途中で中断することなく第２４（ｃ）図の様に正しく検出することができるため、特にＡ／Ｄ変換後にドロップアウト検出するシステムにおいては有効である。
なお、ここではドロップアウト検出部１１の出力により制御部１２のホールドあるいは制御応答速度の切り換えを行ったが、これは本信号処理装置の外部でドロップアウトを検出し生成した信号であっても構わない。またドロップアウトを検出した時にではなく、動作のホールドを希望する際に外部から入力する信号であっても構わない。
また、ドロップアウト検出部１１はピーク検出部４出力を入力するものとしたが、これは、ピーク検出部４出力，Ａ／Ｄ変換部３出力，ボトム検出部５出力，オフセット検出部７出力，振幅情報信号の少なくとも１つを入力するようにしても構わない。
（実施の形態５）
この実施の形態５は、特許請求の範囲第８項，第１７項に記載の発明に対応するもので、同一の信号処理系で相異なる記録エリアの再生が可能となるようにしたものである。
以下、本発明の第５の実施の形態について図面を参照しながら詳細に説明する。この実施の形態５による信号処理装置のブロック図を第７図に示す。
この信号処理装置は、第１の再生信号入力に対しゲイン制御信号入力に応じたゲインとオフセット制御信号入力に応じたＤＣオフセットを与えるゲインオフセット部１０と、このゲインオフセット部１０出力とクロックを入力とし所定クロック周期Ｔのクロックでサンプリングを行いアナログ−デジタル変換してサンプリングデータを出力するＡ／Ｄ変換部３と、前記Ａ／Ｄ変換部３出力を入力としピーク検出動作を行うピーク検出部４と、前記Ａ／Ｄ変換部３出力を入力としボトム検出動作を行うボトム検出部５と、ピーク検出部出力４およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、第２の再生信号を入力とし光ディスク記録媒体上のエリア情報を判別して現在エリア情報を示すゲート信号を生成するゲート生成部１８と、振幅情報信号およびオフセット情報信号によりゲインオフセット部１０のゲイン制御およびオフセット制御を行うとともに、ゲート信号に応じてゲインおよびオフセットの独立制御が可能な制御部１２と、この制御部１２から出力されるゲイン・オフセット制御値を格納する第１の記憶部１９および第２の記憶部２０とで構成される。
次に、第５の実施の形態の動作について説明する。情報記録媒体からの第１の再生信号はゲインオフセット部１０で制御入力に応じたゲインとオフセットとが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第７図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
次に、ピーク検出値およびボトム検出値から振幅検出部６で振幅検出を行い、オフセット検出部７でオフセット検出を行う。例えば振幅検出はピーク値とボトム値との差を演算することで、またオフセット検出はピーク値とボトム値との和あるいはＡ／Ｄセンターレベルからの距離の差、あるいはピーク値およびボトム値がそれぞれ所定のウィンドウ範囲に入っているか否かを検出する等により得ることができる。制御部１２の動作については第１の実施の形態と同様であり、振幅検出値およびオフセット検出値に応じて、ゲインオフセット部１０の出力振幅、オフセットが所定目標値となるように制御を行う。第２の再生信号はゲート信号生成部１８に入力され、光ディスク媒体のエリア情報を判別する。ここではＤＶＤ−ＲＡＭを例にあげてゲート信号生成部の動作について説明する。
第８図はＤＶＤ−ＲＡＭの物理フォーマットを示している。この物理フォーマットはプリピットで形成されるアドレス領域と書き換えが可能なデータ領域とから成っている。データ領域は２つのＧｒｏｏｖｅ部に挟まれたＬａｎｄ部からなり、アドレス領域はＨｅａｄｅｒ１ないしＨｅａｄｅｒ４をそれぞれ２つずつ有している。プリピットはトラックのセンターからオフセットした位置に形成されており、第９図に示すような４分割された光ディテクタ２０で受光した場合、内周側ディテクタから得られる信号（ａ）＋（ｂ）および外周側ディテクタから得られる信号（ｃ）＋（ｄ）の差信号をとると第１０（ａ）図の様になる。この差信号が第２の再生信号であり、これをローパスフィルタに通すと第１０（ｂ）図の様になる。第１０（ｂ）図を２つの所定２値化レベルで２値化すると、第１０（ｃ）図，第１０（ｄ）図が得られる。これらを論理加算（（ｃ）＋（ｄ））すればアドレス位置を示すゲート信号（ｅ）が得られる。制御部１２はアドレス領域でゲイン、オフセット制御を行うが、再生信号がアドレス領域からデータ領域になったとき、すなわち第１０（ｅ）図のゲート信号が“Ｈ”から“Ｌ”に変化したとき、ゲイン、オフセット制御値をいったん第１の記憶部１９に格納し、第２の記憶部２０に格納されていた値をゲイン、オフセット制御値として与えてゲイン、オフセットの制御を行う。これにより、内周側ディテクタから得られる信号（ａ）＋（ｂ）および外周側ディテクタから得られる信号（ｃ）＋（ｄ）の和信号である第１の再生信号が第１１（ａ）図の様な場合であっても、アドレス領域と、データ領域とが独立にゲイン、オフセット制御されて、Ａ／Ｄ変換部３入力では第１１（ｂ）図のようになる。
このように異なる記録エリア領域を検出してゲート信号を生成し、記録エリア毎に独立にゲイン制御およびオフセット制御を行うことで、記録エリア毎の信号振幅差、オフセット差を吸収し、常にＡ／Ｄ変換部入力における信号振幅およびオフセットを一定に保つことができ、１つの信号処理系で異なる記録エリアの再生が可能になる。
なお、ゲート信号はゲート生成部１８からの信号を使用したが、本信号処理装置の外部で検出した信号であっても構わない。また第２の再生信号のエリア情報を判別した時にではなく、ゲイン、オフセット制御の切り替えを希望する際に外部から入力する信号であっても構わない。
（実施の形態６）
この実施の形態６は、特許請求の範囲第９項，第１０項，第１１項に記載の発明に対応するもので、実施の形態５におけるゲインオフセット部および制御部の具体的な構成例を示すものである。
以下、本発明の第６の実施の形態について図面を参照しながら詳細に説明する。この実施の形態６による信号処理装置のブロック図を第１２図に示す。
この信号処理装置は、第１の再生信号入力に対しゲイン制御信号入力に応じたゲインを与える可変ゲインアンプ部１と、この可変ゲインアンプ１部出力を入力としオフセット制御信号入力に応じたＤＣオフセットを印加するオフセット部２と、このオフセット部２出力とクロックとを入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、第２の再生信号を入力とし光ディスク記録媒体上のエリア情報を判別して現在エリア情報を示すゲート信号を生成するゲート生成部１８と、振幅情報信号と振幅目標値との大小関係に応じて可変ゲインアンプ部１の制御を行うとともに、ゲート信号に応じて記録エリア毎に独立にゲイン制御が可能なゲイン制御部８と、このゲイン制御部８から出力されるゲイン制御値を格納する第１のゲイン記憶部２２および第２のゲイン記憶部２３と、オフセット情報信号とオフセット目標値との大小関係に応じてオフセット部２の制御を行うとともに、ゲート信号に応じて記録エリア毎に独立にオフセット制御が可能なオフセット制御部９と、このオフセット制御部９から出力されるオフセット制御値を格納する第１のオフセット記憶部２４および第２のオフセット記憶部２５とで構成される。
そして、この可変ゲインアンプ部１およびオフセット部２が、実施の形態５のゲインオフセット部１０に、また、ゲイン制御部８およびオフセット制御部９が実施の形態１の制御部１２に、それぞれ対応するものである。
次に、第６の実施の形態の動作について説明する。情報記録媒体からの第１の再生信号は可変ゲインアンプ部１でゲイン制御入力に応じたゲインが与えられ、またオフセット部２でオフセット制御入力に応じたオフセットが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第１２図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
また、ゲイン制御部８およびオフセット制御部９のゲイン、オフセット制御動作についても実施の形態１と同様である。第２の再生信号はゲート信号生成部１８に入力され、光ディスク媒体のエリア情報を判別する。ゲイン制御部８はアドレス領域でゲイン制御を行うが、アドレス領域からデータ領域になったとき、ゲイン制御値をいったん第１のゲイン記憶部２２に格納し、第２のゲイン記憶部２３に格納されていた値をゲイン制御値として与えてゲインの制御を行う。また、オフセット制御部９はアドレス領域でオフセット制御を行うが、アドレス領域からデータ領域になったとき、オフセット制御値をいったん第１のオフセット記憶部２４に格納し、第２のオフセット記憶部２５に格納されていた値をオフセット制御値として与えてオフセットの制御を行う。
これにより、第１の再生信号が第１１（ａ）図の様な場合であっても、アドレス領域と、データ領域が独立にゲイン、オフセット制御されて、第１１（ｂ）図のようになる。
このように異なる記録エリア領域を検出してゲート信号を生成し、記録エリア毎に独立にゲイン制御およびオフセット制御を行うことで、記録エリア毎の信号振幅差、オフセット差を吸収し、常にＡ／Ｄ変換部入力における信号振幅およびオフセットを一定に保つことができる。
なお、ゲート信号はゲート生成部１８からの信号を使用したが、本信号処理装置の外部で検出した信号であっても構わない。また第２の再生信号のエリア情報を判別した時にではなく、ゲイン、オフセット制御の切り替えを希望する際に外部から入力する信号であっても構わない。
また、ゲイン、オフセット共にエリア毎の独立制御を行ったが、ゲインのみあるいはオフセットのみ記録エリアに応じた独立制御を行うような構成であっても構わない。
（実施の形態７）
この実施の形態７は、特許請求の範囲第１２項に記載の発明に対応するもので、Ａ／Ｄ変換部の前段側に信号のイコライズを行うイコライズ部を設けるようにしたものである。
以下、本発明の第７の実施の形態について図面を参照しながら詳細に説明する。この実施の形態７による信号処理装置のブロック図を第１３図に示す。
この信号処理装置は、再生信号入力に対しゲイン制御信号入力に応じたゲインとオフセット制御信号入力に応じたＤＣオフセットを与えるゲインオフセット部１０と、このゲインオフセット部１０出力を入力とし高周波数域を強調するイコライザ部２６と、このイコライザ部２６出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号およびオフセット情報信号によりゲインオフセット部１０のゲイン制御およびオフセット制御を行いまた外部ホールド信号入力により制御動作のホールドあるいは制御速度の切り換えが可能な制御部１２とで構成される。
次に、第７の実施の形態の動作について説明する。情報記録媒体からの再生信号はゲインオフセット部１０で制御入力に応じたゲインとオフセットとが与えられた後、イコライザ部２６で波形等化処理が行われる。高密度記録された光記録媒体等を再生する場合、光学的な周波数特性により短い記録マークの信号振幅が低下してしまうため、イコライザ部２６でこの周波数帯域をブーストアップすることで信号のＳＮＲ（Ｓｉｎｇａｌ  ｔｏ  Ｎｏｉｓｅ  Ｒａｔｉｏ）を改善する必要がある。また、イコライザ部２６出力はＡ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第１３図に示すようにともにそのｎ倍（ｎは正の整数）の周期や、あるいはそれぞれｍ倍およびｎ倍の周期のクロックでこれを行って、消費電力を削減することも可能である。
次に、ピーク検出値およびボトム検出値から振幅検出部６で振幅検出を行い、オフセット検出部７でオフセット検出を行う。振幅検出、オフセット検出についても実施の形態１と同様である。制御部１２では振幅検出値とオフセット検出値とが目標値と等しくなるようにゲインオフセット部１０のゲイン・オフセット制御を行う。制御動作については実施の形態１と同様である。
イコライザ部２６内の信号振幅は、ＳＮＲの観点からイコライザ部２６のダイナミックレンジ範囲内で最大振幅で信号を通過させることが望ましいが、本実施の形態のようにＡ／Ｄ変換部３の前段にイコライザ部２６を配置することにより、イコライザ部２６の入力信号振幅および入力信号オフセットを一定になるように制御することが可能であり、信号振幅および入力信号オフセットを一定になるように制御することができる。また、これにより、ＳＮＲを最大限にかせぐことが可能であり、イコライザ部２６前段で発生する回路オフセット等のばらつきマージンを考慮する必要がなくなるため、イコライザのダイナミックレンジ内で最大振幅で信号を入力することができる。さらには、第１４図に示すように、光ディスクに形成された短いピットにより信号振幅が大きくならない場合等では図中実線で示されたように信号が飽和振幅とならず、イコライザ部が存在しない場合は、この短いピットによる入力再生信号のピーク（あるいはボトム）を正しく検出できないが、イコライザ部を設けることでピット長が短い場合でも同図中の破線で示すようにその信号が飽和状態となり、正しくピーク検出（あるいはボトム検出）を行うことが可能となり、これによりゲイン制御やオフセット制御の精度向上を図ることができる。
（実施の形態８）
この実施の形態８は、特許請求の範囲第１３項記載の発明に対応するもので、実施の形態７におけるゲインオフセット部を２つのサブブロックに分割し、その間にイコライズ部を設けたものである。
以下、本発明の第８の実施の形態について図面を参照しながら詳細に説明する。この実施の形態８による信号処理装置のブロック図を第１５図に示す。
この信号処理装置は、再生信号入力に対しゲイン制御信号入力に応じたゲインを与える可変ゲインアンプ部１と、この可変ゲインアンプ部１出力を入力とし高周波数域を強調するイコライザ部２６と、このイコライザ部２６を入力としオフセット制御信号入力に応じたＤＣオフセットを印加するオフセット部２と、このオフセット部２出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期のｎ倍（ｎは正の整数）の周期のクロックでピーク検出動作を行うピーク検出部４と、Ａ／Ｄ変換部３出力を入力とし前記クロック周期のｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号と振幅目標値との大小関係に応じて可変ゲインアンプ部１の制御を行うゲイン制御部８と、オフセット情報信号とオフセット目標値との大小関係に応じてオフセット部２の制御を行うオフセット制御部９とで構成される。
そして、この可変ゲインアンプ部１およびオフセット部２が、実施の形態７のゲインオフセット部１０に、また、ゲイン制御部８およびオフセット制御部９が実施の形態７の制御部１２に、それぞれ対応するものである。
次に、第８の実施の形態の動作について説明する。情報記録媒体からの再生信号は可変ゲインアンプ部１でゲイン制御入力に応じたゲインが与えられ、イコライザ部２６で波形等化処理が行われた後、オフセット部２でオフセット制御入力に応じたオフセットが与えられる。
高密度記録された光記録媒体等を再生する場合、光学的な周波数特性により短い記録マークの信号振幅が低下してしまうため、イコライザ部２６でこの周波数帯域をブーストアップすることで信号のＳＮＲ（Ｓｉｎｇａｌ  ｔｏ  Ｎｏｉｓｅ  Ｒａｔｉｏ）を改善する必要がある。また、イコライザ部２６出力はＡ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第１５図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
次に、ピーク検出値およびボトム検出値から振幅検出部６で振幅検出を行い、オフセット検出部７でオフセット検出を行う。振幅検出、オフセット検出についても実施の形態１と同様である。また、ゲイン制御部８およびオフセット制御部９のゲイン、オフセット制御動作については実施の形態２と回様である。
イコライザ部２６内の信号振幅は、ＳＮＲの観点からイコライザ部２６のダイナミックレンジ範囲内で最大振幅で信号を通過させることが望ましいが、本実施の形態のように可変ゲインアンプ部１の後段にイコライザ部２６を配置することにより、信号振幅が一定になるように制御することが可能であり、イコライザ部２６前段で発生する回路ゲインばらつきマージンを考慮する必要がなくなるため、イコライザ部のダイナミックレンジ最大に信号を入力することができる。さらには、第１４図に示すように、イコライザ部を設けることでピット長が短い場合でも同図中の破線で示すようにその信号が飽和状態となり、正しくピーク検出（あるいはボトム検出）を行うことが可能となり、これによりゲイン制御やオフセット制御の精度向上を図ることができる。
（実施の形態９）
この実施の形態９は、特許請求の範囲第１４項に記載の発明に対応するもので、実施の形態８におけるオフセット部とイコライザ部との接続順序を入れ替えたものである。
以下、本発明の第９の実施の形態について図面を参照しながら詳細に説明する。この実施の形態９による信号処理装置のブロック図を第１６図に示す。
この信号処理装置は、再生信号入力に対しゲイン制御信号入力に応じたゲインを与える可変ゲインアンプ部１と、この可変ゲインアンプ部１出力を入力としオフセット制御信号入力に応じたＤＣオフセットを印加するオフセット部２と、このオフセット部２出力を入力とし高周波数域を強調するイコライザ部２６と、このイコライザ部２６出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期のｎ倍（ｎは正の整数）の周期のクロックでピーク検出動作を行うピーク検出部４と、Ａ／Ｄ変換部３出力を入力とし前記クロック周期のｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号と振幅目標値との大小関係に応じて可変ゲインアンプ１の制御を行うゲイン制御部８と、オフセット情報信号とオフセット目標値との大小関係に応じてオフセット部の制御を行うオフセット制御部９とで構成される。
そして、この可変ゲインアンプ部１およびオフセット部２が、実施の形態７のゲインオフセット部１０に、また、ゲイン制御部８およびオフセット制御部９が実施の形態７の制御部１２に、それぞれ対応するものである。
次に、第９の実施の形態の動作について説明する。情報記録媒体からの再生信号は可変ゲインアンプ部１でゲイン制御入力に応じたゲインが与えられ、オフセット部２でオフセット制御入力に応じたオフセットが与えられた後、イコライザ部２６で波形等化処理が行われる。高密度記録された光記録媒体等を再生する場合、光学的な周波数特性により短い記録マークの信号振幅が低下してしまうため、イコライザ部２６でこの周波数帯域をブーストアップすることで信号のＳＮＲ（Ｓｉｎｇａｌ  ｔｏ  Ｎｏｉｓｅ  Ｒａｔｉｏ）を改善する必要がある。また、イコライザ部２６出力はＡ／Ｄ変換部３で所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、第１６図に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
次に、ピーク検出値およびボトム検出値から振幅検出部６で振幅検出を、オフセット検出部７でオフセット検出を行う。振幅検出、オフセット検出についても実施の形態１と同様である。また、ゲイン制御部８およびオフセット制御部９のゲイン、オフセット制御動作については実施の形態２と同様である。
イコライザ部２６内の信号振幅は、ＳＮＲの観点からイコライザ部２６のダイナミックレンジ範囲内で最大振幅で信号を通過させることが望ましいが、本実施の形態のようにＡ／Ｄ変換部３の前段にイコライザ部２６を配置することにより、信号振幅およびオフセットを一定になるように制御することが可能であり、イコライザ部２６前段で発生するゲイン、オフセットばらつきマージンを考慮する必要がなくなるため、イコライザのダイナミックレンジ最大に信号を入力することができる。さらには、第１４図に示すように、イコライザ部を設けることでピット長が短い場合でも同図中の破線で示すようにその信号が飽和状態となり、正しくピーク検出（あるいはボトム検出）を行うことが可能となり、これによりゲイン制御やオフセット制御の精度向上を図ることができる。
（実施の形態１０）
この実施の形態１０は、特許請求の範囲第２１項，２２項に記載の発明に対応するもので、サーボコントローラを設けたものである。
以下、本発明の第１０の実施の形態について図面を参照しながら詳細に説明する。
この実施の形態１０による信号処理装置のブロック図を第１９（ａ）図に示す。
この信号処理装置の基本構成は、第１の実施の形態と同様であるが、振幅検出部出力を入力として再生信号振幅情報をもとにピックアップのフォーカス制御位置あるいはトラッキング制御位置を学習するサーボコントローラ２７をさらに有している。また、この第１９（ａ）図はこの信号処理装置を含む光ディスク装置の概略構成を示すもので、情報記録媒体としての光ディスク１００は図示しないスピンドルモータにより駆動される。また、この光ディスク１００から情報を読み出す光ピックアップ２００は、光ディスク１００に照射するレーザ光を発振するレーザ２０１と、このレーザ２０１から照射する照射光と光ディスク１００で反射した反射光との経路を異なるものとするビームスプリッタ２０４と、このビームスプリッタ２０４を通過した照射光を光ディスク１００の情報面に集光するためのレンズ２０２と、サーボコントローラ２７からのフォーカス制御信号およびトラッキング制御信号によりレンズ２０２を駆動するアクチュエータ２０３と、ビームスプリッタ２０４を通過した光ディスク１００からの反射光を光電変換してゲインオフセット部１０に再生信号として出力するフォトディテクタ２０５とから構成されている。
光ディスク等でディスクに記録されたピット列情報を読み取るためには、フォーカス制御、トラッキング制御等が必要となるが、光学的ばらつきあるいは電気的オフセットにより最適制御位置が変化するため、良好な再生状態を確保するためには制御位置の学習を行なう必要がある。その学習方法としては、再生信号振幅を最大にする方法、ジッタを最小にする方法等がある。再生信号振幅を最大になるように学習するためには、入力再生信号の変化が振幅検出部６から出力される振幅情報として反映される必要がある。
即ち、第１９（ｂ）図に示すように、まずステップＳ１において、サーボコントローラ２７は制御部１２に対し、ゲイン制御およびオフセット制御をオン状態になるように制御することで、信号振幅を一定にして振幅を確保してＡ／Ｄ変換の際の分解能を確保しておく。次に、ステップＳ２において、サーボコントローラ２７は制御部１２に対し、ゲイン制御をホールドするように指令しておく。これらの準備が完了した段階で、サーボコントローラ２７はステップＳ３においてフォーカスおよびトラッキング学習（例えば振幅が最大になるように学習）を行うように制御部１２に指令を発する。そして、学習が完了した段階で、サーボコントローラ２７は再びゲイン及びオフセット制御を開始するよう、制御部１２を制御する。
このように、学習期間中はゲイン制御を強制的にホールドすることで入力再生信号の振幅変化を振幅検出部出力に伝達することが可能である。また、同時にオフセット制御もホールドすることで振幅検出動作を安定にすることが可能である。
また、学習前にゲイン制御およびオフセット制御動作を行い、両制御が整定した後に学習動作に入ることで、入力再生信号振幅に関わらずＡ／Ｄ変換部入力での信号振幅を略一定にすることが可能であり、学習の感度を一定に保つことが可能である。例えば、ＤＶＤ−ＲＯＭメディアに対し、ＤＶＤ−ＲＷメディアでは反射率が１／４〜１／５倍と低く、入力再生信号振幅が小さくなってしまうため、このままでは振幅検出出力も小さくなり、学習感度が得られないといった問題がある。しかし、学習前にゲイン制御、オフセット制御動作を行ない、Ａ／Ｄ変換部３の入力信号振幅が所定値に整定した後に、両制御をホールドして学習を行なうことで、アナログ入力振幅変動を考慮する必要がなくなり安定な学習が可能である。
産業上の利用可能性
このように、本発明の信号処理装置によれば、光ディスク等の情報記録媒体から読み出したアナログ再生信号をＡ／Ｄ変換して信号処理を行う際に、情報記録媒体の信号欠落部を通過後にＡ／Ｄ変換部のダイナミックレンジを越える現象を抑圧でき、安定したＡ／Ｄ変換を行うことができ、欠陥通過後のデータエラーを最小限に抑えることができる。またドロップアウト検出の検出精度を向上できるため、この信号処理装置を用いた光ディスク装置の信頼性を向上することが可能である。
【図面の簡単な説明】
第１図は第１の実施の形態の再生信号処理装置のブロック図。
第２図はピーク検出部の一例を示すブロック図。
第３図はピーク検出部の動作を示すブロック図。
第４図は第２の実施の形態の再生信号処理装置のブロック図であり、第４（ａ）図はその全体構成を示すブロック図、第４（ｂ）図はそのゲイン制御部またはオフセット制御部の内部構成を示すブロック図。
第５図は第３の実施の形態の再生信号処理装置のブロック図。
第６図は第４の実施の形態の再生信号処理装置のブロック図。
第７図は第５の実施の形態の再生信号処理装置のブロック図。
第８図はＤＶＤ−ＲＡＭの物理フォーマットを示す図。
第９図は光ディテクタを示す図。
第１０図はゲート信号生成の様子を表す信号図であり、第１０（ａ）図は第２の再生信号を示す信号図、第１０（ｂ）図はＬＰＦ通過後の再生信号を示す信号図、第１０（ｃ）図は第１の２値化信号を示す信号図、第１０（ｄ）図は第２の２値化信号を示す信号図、第１０（ｅ）図はゲート信号を示す信号図。
第１１図はゲイン・オフセット制御の様子を表す信号図であり、第１１（ａ）図は第１の再生信号を示す信号図、第１１（ｂ）図はＡ／Ｄ変換部の入力波形を示す信号図、第１１（ｃ）図はゲート信号を示す信号図。
第１２図は第６の実施の形態の再生信号処理装置のブロック図。
第１３図は第７の実施の形態の再生信号処理装置のブロック図。
第１４図は第７の実施の形態の再生信号処理装置の効果を説明するための信号図。
第１５図は第８の実施の形態の再生信号処理装置のブロック図。
第１６図は第９の実施の形態の再生信号処理装置のブロック図。
第１７図はゲインオフセット部を通さない経路を有する第１の実施の形態の再生信号処理装置の変形例のブロック図。
第１８図は可変ゲインアンプ部を通さない経路を有する第２の実施の形態の再生信号処理装置の他の変形例のブロック図。
第１９図は第１０の実施の形態の再生信号処理装置を含む光ディスク装置を示す図であり、第１９（ａ）図はその全体構成を示すブロック図、第１９（ｂ）図はその学習制御動作のフローチャートを示す図。
第２０図は第１の従来例の信号処理装置のブロック図。
第２１図は再生信号にＤＣオフセットを持つ場合の再生波形を表す図。
第２２図は第２の従来例の信号処理装置のブロック図。
第２３図は入力再生信号に信号欠落部が存在する場合の問題点を説明するための信号図。
第２４図は入力再生信号に信号欠落部が存在する場合の問題点を解消する動作を説明するための信号図。
【図１】
2003077248.tif 000003
【図２】
2003077248.tif 000004
【図３】
2003077248.tif 000005
【図４（ａ）】
2003077248.tif 000006
【図４（ｂ）】
2003077248.tif 000007
【図５】
2003077248.tif 000008
【図６】
2003077248.tif 000009
【図７】
2003077248.tif 000010
【図８】
2003077248.tif 000011
【図９】
2003077248.tif 000012
【図１０（ａ）】
2003077248.tif 000013
【図１０（ｂ）】
2003077248.tif 000014
【図１０（ｃ）】
2003077248.tif 000015
【図１０（ｄ）】
2003077248.tif 000016
【図１０（ｅ）】
2003077248.tif 000017
【図１１（ａ）】
2003077248.tif 000018
【図１１（ｂ）】
2003077248.tif 000019
【図１１（ｃ）】
2003077248.tif 000020
【図１２】
2003077248.tif 000021
【図１３】
2003077248.tif 000022
【図１４】
2003077248.tif 000023
【図１５】
2003077248.tif 000024
【図１６】
2003077248.tif 000025
【図１７】
2003077248.tif 000026
【図１８】
2003077248.tif 000027
【図１９（ａ）】
2003077248.tif 000028
【図１９（ｂ）】
2003077248.tif 000029
【図２０】
2003077248.tif 000030
【図２１（ａ）】
2003077248.tif 000031
【図２１（ｂ）】
2003077248.tif 000032
【図２２】
2003077248.tif 000033
【図２３（ａ）】
2003077248.tif 000034
【図２３（ｂ）】
2003077248.tif 000035
【図２３（ｃ）】
2003077248.tif 000036
【図２４（ａ）】
2003077248.tif 000037
【図２４（ｂ）】
2003077248.tif 000038
【図２４（ｃ）】
2003077248.tif 000039
【手続補正書】
【提出日】平成16年9月8日(2004.9.8)
【手続補正１】
【補正対象書類名】特許請求の範囲
【補正対象項目名】全文
【補正方法】変更
【補正の内容】
【特許請求の範囲】
【請求項１】
情報記録媒体上の記録情報を再生するための信号処理装置において、
再生信号入力に対しゲイン制御信号入力に応じたゲインとオフセット制御信号入力に応じたＤＣオフセットを与えるゲインオフセット部と、
該ゲインオフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号および前記オフセット情報信号により前記ゲインオフセット部のゲイン制御およびオフセット制御を行うとともに、ホールド信号入力により制御動作のホールドあるいは制御速度の切り換えが可能な制御部とを備え、
再生信号入力の局所変動に依らず前記Ａ／Ｄ変換部入力における信号振幅およびオフセットを略一定に保つ、
ことを特徴とする信号処理装置。
【請求項２】
請求項１記載の信号処理装置において、
前記Ａ／Ｄ変換部出力，前記ボトム検出部出力，前記オフセット検出部出力あるいは前記振幅情報信号の少なくとも１つを入力とし該入力信号の欠落を検出してホールド信号を出力するドロップアウト検出部をさらに備え、
前記ホールド信号により制御動作のホールドあるいは制御速度の切り換えが可能である、
ことを特徴とする信号処理装置。
【請求項３】
情報記録媒体上の記録情報を再生するための信号処理装置において、
再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号と振幅目標値との大小関係に応じて前記可変ゲインアンプ部の制御を行うとともに、ホールド信号入力によりゲイン制御動作のホールドあるいは制御速度の切り換えが可能なゲイン制御部と、
前記オフセット情報信号とオフセット目標値との大小関係に応じて前記オフセット部の制御を行うとともに、ホールド信号入力によりオフセット制御動作のホールドあるいは制御速度の切り換えが可能なオフセット制御部とを備え、
再生信号入力の局所変動に依らず前記Ａ／Ｄ変換部入力における信号振幅およびオフセットを略一定に保つ、
ことを特徴とする信号処理装置。
【請求項４】
請求項３記載の信号処理装置において、
前記Ａ／Ｄ変換部出力，前記ピーク検出部出力，前記ボトム検出部出力，前記オフセット検出部出力あるいは前記振幅情報信号の少なくとも１つを入力とし該入力信号の欠落を検出してホールド信号を出力するドロップアウト検出部をさらに備え、
前記ホールド信号によりゲイン制御動作あるいはオフセット制御動作の少なくとも一方のホールドあるいは制御速度の切り換えが可能である、
ことを特徴とする信号処理装置。
【請求項５】
情報記録媒体上の記録情報を再生するための信号処理装置において、
再生信号入力に対しゲイン制御信号入力に応じたゲインとオフセット制御信号入力に応じたＤＣオフセットを与えるゲインオフセット部と、
該ゲインオフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力とし前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号および前記オフセット情報信号により前記ゲインオフセット部のゲイン制御およびオフセット制御を行う制御部と、
前記Ａ／Ｄ変換部から出力されるサンプリングデータをもとにこれに位相同期したクロックを生成するＰＬＬ部とを備え、
前記Ａ／Ｄ変換部入力における信号振幅およびオフセットを略一定に保つとともに再生速度に依らず前記制御部の応答特性を一定に保つ、
ことを特徴とする信号処理装置。
【請求項６】
請求項５記載の信号処理装置において、
ホールド信号により制御動作のホールドあるいは制御速度の切り換えあるいはＰＬＬ制御動作のホールドが可能である、
ことを特徴とする信号処理装置。
【請求項７】
請求項５記載の信号処理装置において、
前記Ａ／Ｄ変換部出力，前記ボトム検出部出力，前記オフセット検出部出力あるいは振幅情報信号の少なくとも１つを入力とし該入力信号の欠落を検出してホールド信号を出力するドロップアウト検出部をさらに備え、
該ホールド信号により制御動作のホールドあるいは制御速度の切り換えあるいはＰＬＬ制御動作のホールドが可能である、
ことを特徴とする信号処理装置。
【請求項８】
複数エリアに分割されて記録された光ディスク記録媒体上の記録情報を再生するための信号処理装置において、
第１の再生信号入力に対しゲイン制御信号入力に応じたゲインとオフセット制御信号入力に応じたＤＣオフセットとを与えるゲインオフセット部と、
該ゲインオフセット部出力とクロックとを入力とし所定クロック周期Ｔのクロックでサンプリングを行いアナログ−デジタル変換してサンプリングデータを出力するＡ／Ｄ変換部と、
該Ａ／Ｄ変換部出力を入力としピーク検出動作を行うピーク検出部と、
前記Ａ／Ｄ変換部出力を入力としボトム検出動作を行うボトム検出部と、
前記ピーク検出部出力および前記ボトム検出部出力を入力とし前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号および前記オフセット情報信号により前記ゲインオフセット部のゲイン制御およびオフセット制御を行うとともに、前記ゲート信号に応じてゲイン及びオフセットの記録エリアごとの独立制御が可能な制御部とを備え、
前記Ａ／Ｄ変換部入力における信号振幅およびオフセットを記録エリアに依ることなく略一定に保つことが可能な制御を行う、
ことを特徴とする信号処理装置。
【請求項９】
複数エリアに分割されて記録された光ディスク記録媒体上の記録情報を再生するための信号処理装置において、
第１の再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力とクロックとを入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力とし前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号と振幅目標値との大小関係に応じて前記可変ゲインアンプ部の制御を行うとともに、前記ゲート信号に応じて記録エリア毎に独立に振幅制御が可能なゲイン制御部と、
該ゲイン制御部から出力されるゲイン制御値を格納する１つまたは複数のゲイン記憶部と、
前記オフセット情報信号とオフセット目標値との大小関係に応じて前記オフセット部の制御を行うオフセット制御部とを備え、
前記Ａ／Ｄ変換部入力における信号振幅およびオフセットを記録エリアに依ることなく略一定に保つことが可能な制御を行う、
ことを特徴とする信号処理装置。
【請求項１０】
複数エリアに分割されて記録された光ディスク記録媒体上の記録情報を再生するための信号処理装置において、
第１の再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力とクロックとを入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号と振幅目標値との大小関係に応じて前記可変ゲインアンプ部の制御を行うゲイン制御部と、
前記オフセット情報信号とオフセット目標値との大小関係に応じて前記オフセット部の制御を行うとともに、前記ゲート信号に応じて記録エリア毎に独立にオフセット制御が可能なオフセット制御部と、
該オフセット制御部から出力されるオフセット制御値を格納する１つまたは複数のオフセット記憶部とを備え、
前記Ａ／Ｄ変換部入力における信号振幅およびオフセットを記録エリアに依ることなく略一定に保つことが可能な制御を行う、
ことを特徴とする信号処理装置。
【請求項１１】
複数エリアに分割されて記録された光ディスク記録媒体上の記録情報を再生するための信号処理装置において、
第１の再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力とクロックを入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
第２の再生信号を入力とし光ディスク記録媒体上のエリア情報を判別して現在エリア情報を示すゲート信号を生成するゲート生成部と、
前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、
前記ゲイン制御部から出力されるゲイン制御値を格納する１つまたは複数のゲイン記憶部と、
前記オフセット情報信号とオフセット目標値との大小関係に応じて前記オフセット部の制御を行うとともに、前記ゲート信号に応じて記録エリア毎に独立にオフセット制御が可能なオフセット制御部と、
該オフセット制御部から出力されるオフセット制御値を格納する１つまたは複数のオフセット記憶部とを備え、
前記Ａ／Ｄ変換部入力における信号振幅およびオフセットを記録エリアに依ることなく略一定に保つことが可能な制御を行う、
ことを特徴とする信号処理装置。
【請求項１２】
情報記録媒体上の記録情報を再生するための信号処理装置において、
再生信号入力に対しゲイン制御信号入力に応じたゲインとオフセット制御信号入力に応じたＤＣオフセットを与えるゲインオフセット部と、
該ゲインオフセット部出力を入力とし高周波数域を強調するイコライザ部と、
該イコライザ部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号および前記オフセット情報信号により前記ゲインオフセット部のゲイン制御およびオフセット制御を行うとともに、ホールド信号入力により制御動作のホールドあるいは制御速度の切り換えが可能な制御部とを備え、
再生信号入力の前記イコライザ部入力における信号振幅およびオフセットを略一定に保つとともに、前記Ａ／Ｄ変換部入力における信号振幅およびオフセットを略一定に保つ、
ことを特徴とする信号処理装置。
【請求項１３】
情報記録媒体上の記録情報を再生するための信号処理装置において、
再生信号入力に対しゲイン制御信号入力に応じたゲインを与える可変ゲインアンプ部と、
該可変ゲインアンプ部出力を入力とし高周波数域を強調するイコライザ部と、
該イコライザ部出力を入力としオフセット制御信号入力に応じたＤＣオフセットを印加するオフセット部と、
該オフセット部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号と振幅目標値との大小関係に応じて前記可変ゲインアンプ部の制御を行うゲイン制御部と、
前記オフセット情報信号とオフセット目標値との大小関係に応じて前記オフセット部の制御を行うオフセット制御部とを備え、
再生信号入力の前記イコライザ部における入力の信号振幅を略一定に保つとともに、前記Ａ／Ｄ変換部入力における信号振幅およびオフセットを略一定に保つ、
ことを特徴とする信号処理装置。
【請求項１４】
情報記録媒体上の記録情報を再生するための信号処理装置において、
再生信号入力に対しゲイン制御信号入力に応じたゲインを与える可変ゲインアンプ部と、
該可変ゲインアンプ部出力を入力としオフセット制御信号入力に応じたＤＣオフセットを印加するオフセット部と、
該オフセット部出力を入力とし高周波数域を強調するイコライザ部と、
該イコライザ部出力を入力とし所定クロック周期Ｔのクロックでサンプリングを行いアナログ−デジタル変換してサンプリングデータを出力するＡ／Ｄ変換部と、
該Ａ／Ｄ変換部出力を入力とし前記クロック周期のｍ倍（ｍは正の整数）の周期のクロックでピーク検出動作を行うピーク検出部と、
前記Ａ／Ｄ変換部出力を入力とし前記クロック周期のｎ倍（ｎは正の整数）の周期のクロックでボトム検出動作を行うボトム検出部と、
前記ピーク検出部出力および前記ボトム検出部出力を入力として前記Ａ／Ｄ変換部入力の信号振幅を演算して振幅情報信号を出力する振幅検出部と、
前記ピーク検出部出力および前記ボトム検出部出力を入力とし前記Ａ／Ｄ変換部入力の信号オフセットを演算してオフセット情報信号を出力するオフセット検出部と、
前記振幅情報信号と振幅目標値との大小関係に応じて前記可変ゲインアンプ部の制御を行うゲイン制御部と、
前記オフセット情報信号とオフセット目標値との大小関係に応じて前記オフセット部の制御を行うオフセット制御部とを備え、
再生信号入力の前記イコライザ部入力および前記Ａ／Ｄ変換部入力における信号振幅およびオフセットを略一定に保つ、
ことを特徴とする信号処理装置。
【請求項１５】
請求項１記載の信号処理装置において、
前記ゲインオフセット部の内部処理を行わずに再生信号入力を直接前記Ａ／Ｄ変換部に入力することを可能とした、
ことを特徴とする信号処理装置。
【請求項１６】
請求項３記載の信号処理装置において、
前記可変ゲインアンプ部の内部処理を行わずに前記再生信号入力を直接前記オフセット部に入力することを可能とした、
ことを特徴とする信号処理装置。
【請求項１７】
請求項８記載の信号処理装置において、
前記第１の再生信号は前記情報記録媒体に記録された情報を再生する光ピックアップ部において複数に分割構成される光検出器の検出出力の和信号であり、
前記第２の再生信号は前記情報記録媒体の記録トラックを挟んで内周および外周に相当する光検出器の検出出力の差信号である、
ことを特徴とする信号処理装置。
【請求項１８】
請求項３記載の信号処理装置において、
前記ゲイン制御部または前記オフセット制御部は、
該制御部の入力信号と所定目標値とを大小比較する比較器と、
該比較器出力の極性に応じてアップダウン切り替えが可能な積分カウンタ部と、
該積分カウンタ部出力を入力としデジタル−アナログ変換を行うＤ／Ａ変換部とで構成される、
ことを特徴とする信号処理装置。
【請求項１９】
請求項２記載の信号処理装置において、
前記ドロップアウト検出部は、前記ピーク検出部出力を所定レベルで２値化した信号をその検出信号として出力する、
ことを特徴とする信号処理装置。
【請求項２０】
請求項２記載の信号処理装置において、
前記ドロップアウト検出部は、前記振幅検出部出力を所定レベルで２値化した信号をその検出信号として出力する、
ことを特徴とする信号処理装置。
【請求項２１】
請求項１記載の信号処理装置において、
前記振幅検出部出力を入力として、前記情報記録媒体に記録された信号を再生するピックアップ部のフォーカス制御位置あるいはトラッキング制御位置の学習を行なうとともに学習中は前記ホールド信号を出力するサーボコントローラをさらに備え、
学習期間中にはゲイン制御あるいはオフセット制御の少なくとも一方を強制的にホールドして学習する、
ことを特徴とする信号処理装置。
【請求項２２】
請求項１記載の信号処理装置において、
前記振幅検出部出力を入力として、前記情報記録媒体に記録された信号を再生するピックアップ部のフォーカス制御位置あるいはトラッキング制御位置を学習するサーボコントローラをさらに備え、
学習前にゲイン制御あるいはオフセット制御の少なくとも一方の制御動作を行い、学習中はゲイン制御あるいはオフセット制御の少なくとも一方を強制的にホールドする、
ことを特徴とする信号処理装置。
【請求項２３】
情報記録媒体からの信号のピーク値の検出を行う工程と、
情報記録媒体からの信号のボトム値の検出を行う工程と、
ピーク値およびボトム値から信号振幅を演算して振幅情報信号を出力する工程と、
情報記録媒体からの信号のドロップアウトを検出する工程と、
振幅情報信号により入力信号の振幅を調整する工程と、
を含む信号処理方法において、
ドロップアウト検出時には、
入力信号の振幅調整をホールドもしくは調節周期を遅くさせる、
ことを特徴とする信号処理方法。
【請求項２４】
情報記録媒体からの信号のピーク値の検出を行う工程と、
情報記録媒体からの信号のボトム値の検出を行う工程と、
ピーク値およびボトム値を入力としオフセットを演算してオフセット情報信号を出力する工程と、
情報記録媒体からの信号のドロップアウトを検出する工程と、
オフセット情報信号により入力信号のオフセットを調整する工程と、
を含む信号処理方法において、
ドロップアウト検出時には、
入力信号のオフセット調整をホールドもしくは調節周期を遅くさせる、
ことを特徴とする信号処理方法。
【手続補正２】
【補正対象書類名】明細書
【補正対象項目名】全文
【補正方法】変更
【補正の内容】
【発明の詳細な説明】
【技術分野】
【０００１】
本発明は、情報記録媒体上の記録情報をアナログ−デジタル変換してデータ再生を行う再生信号処理系において、アナログ−デジタル変換部の入力ダイナミックレンジに信号を効率良く入力するための信号処理装置および信号処理方法に関する。
【背景技術】
【０００２】
近年、半導体プロセスの微細化にともないアナログ回路のデジタル化が進展し、これによる回路規模の削減、回路安定性の向上、消費電力の削減等の取り組みがなされている。また、デジタル化によりプロセスシュリンクへの対応が容易となり、開発効率の向上の利点も見出せる。
【０００３】
光ディスクの信号処理分野においても、ＰＲＭＬ（Ｐａｒｔｉａｌ  Ｒｅｓｐｏｎｓｅ  Ｍａｘｉｍｕｍ  Ｌｉｋｅｌｉｈｏｏｄ）等の技術を採用することにより、信号処理回路をアナログ信号処理回路からデジタル信号処理回路に置き換えることが可能であり、これにより再生性能能力の向上を図ることができる。
【０００４】
これに伴い、従来の信号処理回路では、アナログ信号からデジタル信号に変換する（以降、Ａ／Ｄ変換と呼ぶ）部分において効率良くＡ／Ｄ変換を行うこと、すなわちＡ／Ｄ変換器のダイナミックレンジ範囲内でかつ最大振幅でアナログ信号をデジタルに変換することが要求される。
【０００５】
図２０は従来のこの種の信号処理装置のブロック図である。
この信号処理装置の従来例は、再生信号入力の低域を遮断することでＤＣオフセットを除去するハイパスフィルタ部１０１と、このハイパスフィルタ部１０１でＤＣオフセットを除去された再生入力信号に対し、ゲイン制御信号入力に応じたゲインを与える可変ゲインアンプ部１と、この可変ゲインアンプ部１の出力を入力としアナログ−デジタル変換を行うＡ／Ｄ変換部３と、このＡ／Ｄ変換部３で得られたサンプリングデータからそのピーク検出動作を行うピーク検出部４と、同サンプリングデータからそのボトム検出動作を行うボトム検出部５と、これらピーク検出値およびボトム検出値からＡ／Ｄ変換部３入力での信号振幅を演算する振幅検出部６と、この振幅検出部６で得られた振幅情報をもとにＡ／Ｄ入力振幅が一定になるように可変ゲインアンプ部１を制御するゲイン制御部８とで構成される。
【０００６】
上記構成の様に、Ａ／Ｄ変換部３の入力での信号振幅を検出してこれが一定になるようにフィードバック制御を行うことで、Ａ／Ｄ変換部３の入力信号がほぼダイナミックレンジ内に有効的に収まるよう制御することができる。
【０００７】
ところで、このような光ディスク等の情報記録媒体の記録変調方式の１つとして、ＤＣフリー方式がある。この方式は、信号の“Ｈ”区間と“Ｌ”区間との比率が５０：５０となるように記録を行う方式である。
【０００８】
しかし、情報記録媒体の記録変調方式がＤＣフリーでない場合、またはＤＣフリー方式であったとしても情報記録媒体の製造段階でのばらつきにより記録マークが本来の長さよりも大きく形成されたり小さく形成された場合等には、信号の“Ｈ”区間と“Ｌ”区間との比率が５０：５０からずれるため、再生信号の平均ＤＣレベルが再生信号の上下ピークのセンター位置からずれる現象が発生する。本現象は、記録条件が最適でない場合に多く発生し、一般的にアシンメトリと呼ばれる。アシンメトリを有する再生信号がハイパスフィルタ部１０１を通過すると、ＤＣ成分がカットされ、図２１に示すようにＡ／Ｄ変換部３の入力信号にＤＣオフセットが発生する。ＤＣオフセットが大きくなると再生信号波形がＡ／Ｄ変換部３の入力ダイナミックレンジを越えてしまうため、波形の一部が欠落し正しいＡ／Ｄ変換が行えなくなってしまうという問題が発生する。
【０００９】
しかしながら、この問題は、例えば後述する特許文献１に示された第２の従来例により回避することができる。図２２はこの特許文献１に示された従来の信号処理装置を図２１のブロック構成との対比が容易になるように適宜書き換えたものである。
【００１０】
この信号処理装置の第２の従来例は、再生信号入力に対しゲイン制御信号入力に応じたゲインを与える可変ゲインアンプ部１と、この可変ゲインアンプ部１の出力に対し、オフセット制御信号入力に応じたＤＣオフセットを与えるオフセット部２と、このオフセット部２出力に対しアナログ−デジタル変換を行うＡ／Ｄ変換部３と、このＡ／Ｄ変換部３で得られたサンプリングデータからそのピーク検出動作を行うピーク検出部４と、同サンプリングデータからそのボトム検出動作を行うボトム検出部５と、これらピーク検出値およびボトム検出値からＡ／Ｄ変換部３入力の信号振幅を演算する振幅検出部６と、ピーク検出値とボトム検出値との平均値からＡ／Ｄ変換部入力での信号のセンター値を演算するオフセット検出部７と、振幅検出部６で得られた振幅情報をもとにＡ／Ｄ入力振幅が一定になるように可変ゲインアンプ部１を制御するゲイン制御部８と、オフセット検出部７で得られたオフセット情報をもとにＡ／Ｄ入力信号のセンターがＡ／Ｄ変換部３の入力ダイナミックレンジのセンターとなるように制御を行うオフセット制御部９とで構成される。
【００１１】
本従来例では、Ａ／Ｄ変換部３入力での信号振幅を検出して一定にする制御ループと、信号のセンター値を検出してオフセットコントロールする制御ループの２つの制御ループを持つことで、Ａ／Ｄ変換部３の入力信号の信号振幅およびオフセットを制御し、該入力信号をＡ／Ｄ変換部の入力ダイナミックレンジに効率的に収めるようにすることができる。
【特許文献１】特許第３０６７２９８号明細書（第７−１１頁  図２，図４）
【００１２】
しかしながら、情報記録媒体上にゴミ等の付着物、傷等により入力信号が図２３（ａ）の様に欠落した場合には、上述した第２の従来例ではゲインおよびオフセットの両者を制御しているために、信号欠落部で可変ゲインアンプ部のゲインが大きくなり、オフセット部は信号をセンターに戻すよう動作するため、Ａ／Ｄ変換部入力では図２３（ｂ）の様な波形の信号になる。図２３からも分かるように、信号欠落部を通過した後、再生信号がＡ／Ｄ変換部の入力ダイナミックレンジをオーバーし、その後これを入力ダイナミックレンジに収まる正常状態に引き込むまでの無駄時間が発生し、この期間は正しくデータ再生が出来ないといった問題が発生する。例えば、２ｍｍの欠陥があった場合には、無駄時間のため実際には３ｍｍ相当の期間、波形異常が続くといったことが生じ、再生能力を低下させる要因となっていた。
【００１３】
また、ドロップアウト期間中はオフセット制御により再生信号のボトムがＡ／Ｄ変換部３の入力ダイナミックレンジのセンターに漸近するため、例えばピーク検出部４出力と所定閾値との比較結果を、欠陥（以下ではドロップアウトと呼ぶ）検出信号として採用した場合、図２３（ｃ）に示すようにドロップアウト検出信号が信号欠落期間途中で中断してしまい、後段のＰＬＬ（Ｐｈａｓｅ  Ｌｏｃｋｅｄ  Ｌｏｏｐ）回路、あるいはフォーカス制御、トラッキング制御等の周辺回路ホールドが正しくできないといった問題があった。
【００１４】
さらに、上記従来例においてはゲインおよびオフセットの両方をコントロールする必要があり、回路規模が大きくなり、消費電力も増大するといった問題もあった。
【００１５】
本発明は、上記従来の問題点を解決するためになされたもので、信号欠落部通過後にＡ／Ｄ変換部の入力ダイナミックレンジを越える現象を抑圧し、また同時にドロップアウト検出の検出精度の向上を図ることが可能な信号処理装置および信号処理方法を提供することを目的とする。
【発明の開示】
【００１６】
上記目的を達成するために本発明は、再生信号入力に対しゲイン制御信号入力に応じたゲインとオフセット制御信号入力に応じたＤＣオフセットを与えるゲインオフセット部と、該ゲインオフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記Ａ／Ｄ変換出力，前記ボトム検出部出力，前記オフセット検出部出力あるいは前記振幅情報信号の少なくとも１つを入力とし該入力信号の欠落を検出してホールド信号を出力するドロップアウト検出部と、前記振幅情報信号および前記オフセット情報信号により前記ゲインオフセット部のゲイン制御およびオフセット制御を行うとともに、前記ホールド信号入力により制御動作のホールドあるいは制御速度の切り換えが可能な制御部とで構成されるものである。上記構成により、記録媒体の欠陥等により発生する再生信号の局所変動を検出して、ゲイン制御およびオフセット制御をホールドする、あるいは制御応答速度を変えることにより、再生信号が欠陥通過後にＡ／Ｄ変換部の入力ダイナミックレンジをオーバーする現象を抑えることが可能であり、常にＡ／Ｄ変換部入力における信号振幅およびオフセットをほぼ一定に保つことができる。
【００１７】
また、本発明は再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記Ａ／Ｄ変換出力，前記ピーク検出部出力，前記ボトム検出部出力，前記オフセット検出部出力あるいは前記振幅情報信号の少なくとも１つを入力とし該入力信号の欠落を検出してホールド信号を出力するドロップアウト検出部と、前記振幅情報信号と振幅目標値との大小関係に応じて前記可変ゲインアンプ部の制御を行うとともに、前記ホールド信号入力によりゲイン制御動作のホールドあるいは制御速度の切り換えが可能なゲイン制御部と、前記オフセット情報信号とオフセット目標値との大小関係に応じて前記オフセット部の制御を行うとともに、前記ホールド信号入力によりオフセット制御動作のホールドあるいは制御速度の切り換えが可能なオフセット制御部とで構成されるものである。上記構成により、記録媒体の欠陥等により発生する再生信号の局所変動を検出して、ゲイン制御およびオフセット制御をホールドするあるいは制御応答速度を変えることにより、再生信号が欠陥通過後にＡ／Ｄ変換部の入力ダイナミックレンジをオーバーする現象を抑えることが可能であり、常にＡ／Ｄ変換部入力における信号振幅およびオフセットをほぼ一定に保つことができる。
【００１８】
また、本発明は再生信号入力に対しゲイン制御信号入力に応じたゲインとオフセット制御信号入力に応じたＤＣオフセットとを与えるゲインオフセット部と、該ゲインオフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記Ａ／Ｄ変換部出力，前記ピーク検出部出力，前記ボトム検出部出力，前記オフセット検出部出力あるいは前記振幅情報信号の少なくとも１つを入力とし該入力信号の欠落を検出してホールド信号を出力するドロップアウト検出部と、前記振幅情報信号および前記オフセット情報信号により前記ゲインオフセット部のゲイン制御およびオフセット制御を行う制御部と、前記Ａ／Ｄ変換部から出力されるサンプリングデータをもとにこれに位相同期したクロックを生成するＰＬＬ部とで構成されるものである。上記構成により、Ａ／Ｄ変換部のサンプリングクロックをＰＬＬクロックとすることでＣＡＶ（Ｃｏｎｓｔａｎｔ  Ａｎｇｕｌａｒ  Ｖｅｌｏｃｉｔｙ、定角速度）再生対応が容易になり、また、ピーク検出部およびボトム検出部の動作クロックをＰＬＬクロックの１／ｍおよび１／ｎ（ｍ、ｎは正の整数）とすることで動作クロック周波数を下げて消費電力の削減を図ることができる。また、記録媒体の欠陥等により発生する再生信号の局所変動を検出して、ゲイン制御およびオフセット制御およびＰＬＬ制御をホールドする、あるいは制御応答速度を変えることにより、再生信号が欠陥通過後にＡ／Ｄ変換部の入力ダイナミックレンジをオーバーする現象を抑えることが可能であり、常にＡ／Ｄ変換部入力における信号振幅およびオフセットをほぼ一定に保ち、安定なＡ／Ｄ変換処理ができる。
【００１９】
また、本発明は第１の再生信号入力に対しゲイン制御信号入力に応じたゲインとオフセット制御信号入力に応じたＤＣオフセットを与えるゲインオフセット部と、該ゲインオフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力としピーク検出動作を行うピーク検出部と、前記Ａ／Ｄ変換部出力を入力としボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号および前記オフセット情報信号により前記ゲインオフセット部のゲイン制御およびオフセット制御を行うとともに、前記ゲート信号に応じてゲイン及びオフセットの記録エリア毎の独立制御が可能な制御部とで構成されるものである。上記構成により、異なる記録エリアを検出してゲート信号を生成することで、記録エリア毎に独立にゲイン制御およびオフセット制御を行うことができる。
【００２０】
また、本発明は第１の再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、該ゲイン制御部から出力されるゲイン制御値を格納する１つまたは複数のゲイン記憶部と、前記オフセット情報信号とオフセット目標値との大小関係に応じて前記オフセット部の制御を行うとともに、前記ゲート信号に応じて記録エリア毎に独立にオフセット制御が可能なオフセット制御部とで構成されるものである。上記構成により、異なる記録エリアを検出してゲート信号を生成することで、記録エリア毎に独立にゲイン制御およびオフセット制御を行うことができる。
【００２１】
また、本発明は第１の再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、前記オフセット情報信号とオフセット目標値との大小関係に応じて前記オフセット部の制御を行うとともに、前記ゲート信号に応じて記録エリア毎に独立にオフセット制御が可能なオフセット制御部と、該オフセット制御部から出力されるオフセット制御値を格納する１つまたは複数のオフセット記憶部とで構成されるものである。上記構成により、異なる記録エリアを検出してゲート信号を生成することで、記録エリア毎に独立にゲイン制御およびオフセット制御を行うことができる。
【００２２】
また、本発明は第１の再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力とクロックとを入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、第２の再生信号を入力とし光ディスク記録媒体上のエリア情報を判別して現在エリア情報を示すゲート信号を生成するゲート生成部と、前記振幅情報信号と振幅目標値との大小関係に応じて前記可変ゲインアンプ部の制御を行うとともに、前記ゲート信号に応じて記録エリア毎に独立にゲイン制御が可能なゲイン制御部と、該ゲイン制御部から出力されるゲイン制御値を格納する１つまたは複数のゲイン記憶部と、前記オフセット情報信号とオフセット目標値との大小関係に応じて前記オフセット部の制御を行うとともに、前記ゲート信号に応じて記録エリア毎に独立にオフセット制御が可能なオフセット制御部と、該オフセット制御部から出力されるオフセット制御値を格納する１つまたは複数のオフセット記憶部とで構成されるものである。上記構成により、異なる記録エリアを検出してゲート信号を生成することで、記録エリア毎に独立にゲイン制御およびオフセット制御を行うことができる。
【００２３】
また、本発明は再生信号入力に対しゲイン制御信号入力に応じたゲインとオフセット制御信号入力に応じたＤＣオフセットを与えるゲインオフセット部と、該ゲインオフセット部出力を入力とし高周波数域を強調するイコライザ部と、該イコライザ部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記振幅情報信号および前記オフセット情報信号により前記ゲインオフセット部のゲイン制御およびオフセット制御を行うとともに、ホールド信号入力により制御動作のホールドあるいは制御速度の切り換えが可能な制御部とで構成されるものである。上記構成により、イコライザ部入力の信号振幅およびオフセットを略一定に保つとともにＡ／Ｄ変換部入力における信号振幅およびオフセットを略一定に保つことができる。
【００２４】
また、本発明は再生信号入力に対しゲイン制御信号入力に応じたゲインを与える可変ゲインアンプ部と、該可変ゲインアンプ部出力を入力とし高周波数域を強調するイコライザ部と、該イコライザ部出力を入力としオフセット制御信号入力に応じたＤＣオフセットを印加するオフセット部と、該オフセット部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記振幅情報信号と振幅目標値との大小関係に応じて前記可変ゲインアンプ部の制御を行うゲイン制御部と、前記オフセット情報信号とオフセット目標値との大小関係に応じて前記オフセット部の制御を行うオフセット制御部とで構成されるものである。上記構成により、イコライザ入力の信号振幅を略一定に保つとともにＡ／Ｄ変換部入力における信号振幅およびオフセットを略一定に保つことができる。
【００２５】
また、本発明は再生信号入力に対しゲイン制御信号入力に応じたゲインを与える可変ゲインアンプ部と、該可変ゲインアンプ部出力を入力としオフセット制御信号入力に応じたＤＣオフセットを印加するオフセット部と、該オフセット部出力を入力とし高周波数域を強調するイコライザ部と、該イコライザ部出力を入力とし所定クロック周期Ｔのクロックでサンプリングを行いアナログ−デジタル変換してサンプリングデータを出力するＡ／Ｄ変換部と、該Ａ／Ｄ変換部出力を入力とし前記クロック周期のｍ倍（ｍは正の整数）の周期のクロックでピーク検出動作を行うピーク検出部と、前記Ａ／Ｄ変換部出力を入力とし前記クロック周期のｎ倍（ｎは正の整数）の周期のクロックでボトム検出動作を行うボトム検出部と、前記ピーク検出部出力および前記ボトム検出部出力を入力として前記Ａ／Ｄ変換部入力の信号振幅を演算して振幅情報信号を出力する振幅検出部と、前記ピーク検出部出力および前記ボトム検出部出力を入力とし前記Ａ／Ｄ変換部入力の信号オフセットを演算してオフセット情報信号を出力するオフセット検出部と、前記振幅情報信号と振幅目標値との大小関係に応じて前記可変ゲインアンプ部の制御を行うゲイン制御部と、前記オフセット情報信号とオフセット目標値との大小関係に応じて前記オフセット部の制御を行うオフセット制御部とで構成されるものである。上記構成により、イコライザ入力の信号振幅およびオフセットを略一定に保つとともにＡ／Ｄ変換部入力における信号振幅およびオフセットを略一定に保つことができる。
【００２６】
また、本発明おけるゲインオフセット部は内部処理を行わずに再生信号入力を直接前記Ａ／Ｄ変換部に入力することを可能としたものであり、再生信号入力を直接Ａ／Ｄ変換部に入力することで再生信号の絶対的な振幅値の測定ができる。
【００２７】
また、本発明における可変ゲインアンプ部は内部処理を行わずに再生信号入力を直接前記Ａ／Ｄ変換部に入力することを可能としたものであり、再生信号入力をオフセット部に入力することで絶対的な再生信号振幅値の測定ができる。
【００２８】
また、本発明は振幅検出部出力を入力として再生信号振幅情報をもとにピックアップ部のフォーカス制御位置あるいはトラッキング制御位置の学習を行うサーボコントローラをさらに備えたものであり、学習中はゲイン制御あるいはオフセット制御の少なくとも一方を強制的にホールドすることで入力再生信号の振幅変化を振幅検出部出力に伝達することが可能である。
【００２９】
また、本発明は振幅検出部出力を入力として再生信号振幅情報をもとにピックアップ部のフォーカス制御位置あるいはトラッキング制御位置の学習を行うサーボコントローラをさらに備えたものであり、学習前にゲイン制御あるいはオフセット制御の少なくとも一方の制御動作を行い、両制御が整定した後に学習動作に入り、学習中はゲイン制御あるいはオフセット制御の少なくとも一方を強制的にホールドすることで入力再生信号を略一定になるように正規化し、かつ振幅変化を振幅検出部出力に伝達することが可能である。
【００３０】
また、本発明は情報記録媒体からの信号のピーク値の検出を行う工程と、情報記録媒体からの信号のボトム値の検出を行う工程と、ピーク値およびボトム値から信号振幅を演算して振幅情報信号を出力する工程と、情報記録媒体からの信号のドロップアウトを検出する工程と、振幅情報信号により入力信号の振幅を調整する工程と、を含む信号処理方法において、ドロップアウト検出時には、入力信号の振幅調整をホールドもしくは調節周期を遅くさせる、ようにしたものである。上記構成により、記録媒体の欠陥等により発生する再生信号の局所変動を検出して、ゲイン制御をホールドする、あるいは制御応答速度を変えることにより、入力信号が欠陥通過後にダイナミックレンジをオーバーする現象を抑えることが可能であり、常に入力信号の信号振幅をほぼ一定に保つことができる。
【００３１】
さらに、本発明は情報記録媒体からの信号のピーク値の検出を行う工程と、情報記録媒体からの信号のボトム値の検出を行う工程と、ピーク値およびボトム値を入力としオフセットを演算してオフセット情報信号を出力する工程と、情報記録媒体からの信号のドロップアウトを検出する工程と、オフセット情報信号により入力信号のオフセットを調整する工程と、を含む信号処理方法において、ドロップアウト検出時には、入力信号のオフセット調整をホールドもしくは調節周期を遅くさせる、ようにしたものである。上記構成により、記録媒体の欠陥等により発生する再生信号の局所変動を検出して、オフセット制御をホールドする、あるいは制御応答速度を変えることにより、入力信号が欠陥通過後にダイナミックレンジをオーバーする現象を抑えることが可能であり、常に入力信号のオフセットをほぼ一定に保つことができる。
【発明を実施するための最良の形態】
【００３２】
（実施の形態１）
この実施の形態１は、請求項１，請求項２，請求項１５，請求項１９，請求項２０，請求項２３および請求項２４に記載の発明に対応するもので、Ａ／Ｄ変換部３から出力されるサンプリングデータから欠陥検出を行い、ゲイン制御あるいはオフセット制御の少なくとも一方をホールドする、あるいは制御速度を変えることで、信号欠落部通過後にＡ／Ｄ変換部の入力ダイナミックレンジを越える現象を抑圧し、同時にドロップアウト検出の検出精度の向上を図ることが可能なようにしたものである。
【００３３】
以下、本発明の第１の実施の形態について図面を参照しながら詳細に説明する。
この実施の形態１による信号処理装置のブロック図を図１に示す。
【００３４】
この信号処理装置は、再生信号入力に対し制御信号入力に応じたゲインとオフセット制御信号入力に応じたＤＣオフセットを与えるゲインオフセット部１０と、このゲインオフセット部１０出力を入力とし所定クロック周期Ｔのクロックでサンプリングを行いアナログ−デジタル変換を行ってサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、Ａ／Ｄ変換部３出力を入力とし、その入力信号の欠落を検出してホールド信号を出力するドロップアウト検出部１１と、振幅情報信号およびオフセット情報信号によりゲインオフセット部１０のゲイン制御およびオフセット制御を行うとともに、ホールド信号入力により制御動作のホールドあるいは制御速度の切り換えが可能な制御部１２とで構成されるものである。
【００３５】
次に、この実施の形態１の動作について説明する。情報記録媒体からの再生信号はゲインオフセット部１０で制御入力に応じたゲインとオフセットとが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ここで、ピーク検出部４は、例えば図２に示すように、セレクタ１３と、値を一時的に保持するレジスタ１４と、減算器１５と、比較器１６とで構成され、レジスタ１４に保持された，現在より１サンプル前のサンプリング値と、現在のサンプリング値とを比較器１６で比較して、現在のサンプリング値の方が大きければレジスタ１４に現在のサンプリング値を格納し、それ以外の時にはレジスタ１４の書き換えは行わない。この動作を連続的に行うことでデジタル信号のピークが検出される。ただし、このままでは最大値を検出するのみで、振幅が低下する方向の再生信号振幅変動に追従できないため、減算器１５でレジスタ１４保持値から所定値を所定クロック間隔毎に減算し、現在のサンプリング値の方が減算器１５出力より小さければ減算器１５出力でレジスタ１４の値を書き換える。
【００３６】
この動作を具体的に図示すると図３の様になる。図３における○はＡ／Ｄ変換部３のサンプリング値を表し、△はピーク検出後１クロックごとに所定値を減算していく様子を示している。この減算量は欠陥通過時の信号落ち込み速度に対して追従できる程度に設定するのが望ましい。また、ここではピーク検出およびボトム検出をＡ／Ｄ変換部３と同じクロックで動作するものとして説明したが、ＣＤ（コンパクトディスク）ではＥＦＭ、ＤＶＤ（デジタルバーサタイルディスク）では８−１６変調といった変調方式がとられており、マーク長は３Ｔから１１Ｔあるいは１４Ｔ（Ｔはクロックの１周期）で分布し、５Ｔ以上の長いマークでは再生信号振幅がほぼ飽和振幅に達するため、図１に示すようにピーク検出およびボトム検出をともにｎＴ周期（ｎは正の整数）で動作させても、あるいはそれぞれｍＴ周期あるいはｎＴ周期（ｍ，ｎは互いに独立した正の整数）で動作させても、ピーク検出およびボトム検出が可能であり、実用上問題はない。このように、ピーク検出およびボトム検出を分周クロックで動作させることにより消費電力の削減を図ることが可能である。
また、ボトム検出部５の動作は、ピーク検出部４の動作の極性を反転させれば実現できる。
【００３７】
次に、ピーク検出値およびボトム検出値から振幅検出部６で振幅検出を、オフセット検出部７でオフセット検出を、それぞれ行う。例えば振幅検出はピーク値とボトム値との差を演算することで、またオフセット検出はピーク値とボトム値との和あるいはＡ／Ｄセンターレベルからの距離の差、あるいはピーク値およびボトム値がそれぞれ所定のウィンドウ範囲に入っているか否かを検出する等によって得ることができる。制御部１２は振幅検出値と振幅目標値とを比較して、振幅検出値が目標値よりも小さいときはゲインオフセット部１０のゲインを上げるように制御出力し、逆に振幅検出値が目標値よりも大きいときはゲインオフセット部１０のゲインを下げるように制御出力する。制御部１２は振幅検出値と振幅目標値とを比較して、振幅検出値が目標値よりも小さいときはゲインオフセット部１０の出力信号振幅を上げるように制御出力し、逆に振幅検出値が目標値よりも大きいときはゲインオフセット部１０の出力信号振幅を下げるように制御出力する。また、制御部１２はオフセット検出値と所定オフセット目標値とを比較して、オフセット検出値が目標値よりも小さいときはゲインオフセット部１０の出力信号オフセットを上げるように制御出力し、逆にオフセット検出値が目標値よりも大きいときはゲインオフセット部１０の出力信号オフセットを下げるように制御出力する。ドロップアウト検出部１１では、例えばピーク検出部４出力を所定閾値で２値化することで再生信号の欠落を検出し、この欠落検出信号を用いて制御部１２の制御動作を強制的にホールドする、あるいは制御応答速度を遅くすることで、図２３（ｂ）のような過敏な応答を抑制して図２４（ｂ）の様な波形にすることができる。
【００３８】
このようにして、記録媒体の欠陥等により発生する再生信号の局所変動を検出して、ゲイン制御およびオフセット制御をホールドする、あるいは制御応答速度を変えることにより、再生信号が欠陥通過後にＡ／Ｄ変換部３での入力ダイナミックレンジをオーバーする現象を抑えることが可能であり、常にＡ／Ｄ変換部３入力における信号振幅およびオフセットをほぼ一定に保つことができるため、信号欠落部を通過した後、再生信号がＡ／Ｄ変換部３の入力ダイナミックレンジに入り正常状態に引き込むまで無駄時間がかかって正しくデータ再生が出来ないといった問題がなくなり、欠陥通過後のデータエラーを最小限に抑えることができるという有効な効果がある。さらに、ドロップアウト検出の検出信号が図２３（ｃ）の様に欠落途中で中断することなく図２４（ｃ）の様に正しく検出することができるため、Ａ／Ｄ変換後にドロップアウト検出するシステムにおいては有効である。
【００３９】
なお、ここではドロップアウト検出部１１出力により制御部のホールドあるいは制御応答速度の切り換えを行ったが、これは本信号処理装置の外部でドロップアウトを検出する、等により生成した信号であっても構わない。またドロップアウトを検出した時にではなく、動作のホールドを希望する際に外部から入力する信号であっても構わない。
【００４０】
また、ドロップアウト検出部１１はＡ／Ｄ変換部３出力を入力するものとしたが、これは、Ａ／Ｄ変換部３出力，ボトム検出部５出力，オフセット検出部７出力，振幅情報信号の少なくとも１つを入力するようにしても構わない。
【００４１】
さらに、図１７に示すようにスルーパス１０ａ、即ちゲインオフセット部１０を通らない経路を設けて振幅情報信号を出力しこれをスイッチ３ａを介してＡ／Ｄ変換部３に入力することにより、入力再生信号の信号振幅の絶対値情報を得ることが可能である。光ディスクプレーヤ等ではディスクの種別を判別する際に再生信号の信号振幅の絶対値情報を使用する場合が多く、こうした場合においてゲインオフセット部を通さずに信号振幅測定を可能にすることができる。
【００４２】
（実施の形態２）
この実施の形態２は、請求項３，請求項４，請求項１６および請求項１８に記載の発明に対応するもので、実施の形態１におけるゲインオフセット部および制御部の具体的な構成例を示すものである。
【００４３】
以下、本発明の第２の実施の形態について図面を参照しながら詳細に説明する。
この実施の形態２による信号処理装置のブロック図を図４に示す。
【００４４】
この信号処理装置は、図４（ａ）に示すように、再生信号入力に対しゲイン制御信号入力に応じたゲインを与える可変ゲインアンプ部１と、この可変ゲインアンプ部１出力を入力としオフセット制御信号入力に応じたＤＣオフセットを印加するオフセット部２と、このオフセット部２出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、ピーク検出部４出力を入力としこの入力信号の欠落を検出してホールド信号を出力するドロップアウト検出部１１と、振幅情報信号と振幅目標値との大小関係に応じて可変ゲインアンプ部１の制御を行うとともに、ホールド信号入力によりゲイン制御動作のホールドあるいは制御速度の切り換えが可能なゲイン制御部８と、オフセット情報信号とオフセット目標値との大小関係に応じてオフセット部２の制御を行うとともに、外部ホールド信号入力によりオフセット制御動作のホールドあるいは制御速度の切り換えが可能なオフセット制御部９とで構成される。
【００４５】
そして、この可変ゲインアンプ部１およびオフセット部２が、実施の形態１のゲインオフセット部１０に、また、ゲイン制御部８およびオフセット制御部９が実施の形態１の制御部１２に、それぞれ対応するものである。
【００４６】
また、図４（ｂ）に示すように、ゲイン制御部８は例えばその入力信号と所定目標値とを大小比較する比較器８ａと、この比較器８ａ出力の極性に応じてアップダウン切り替えが可能な積分カウンタ部８ｂと、この積分カウンタ部８ｂ出力を入力としデジタル−アナログ変換を行うＤ／Ａ変換部８ｃとで構成することができ、Ｄ／Ａ変換部８ｃは可変ゲインアンプ部に１に対しそのゲインを制御する制御信号を出力する。オフセット制御部９もゲイン制御部８と同様に構成され、オフセット部２に対しそのオフセット量を制御する制御信号を出力する。
【００４７】
次に、この実施の形態２の動作について説明する。情報記録媒体からの再生信号は可変ゲインアンプ部１でゲイン制御入力に応じたゲインが与えられ、オフセット部２でオフセット制御入力に応じたオフセットが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図４に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【００４８】
次に、これらピーク検出値およびボトム検出値から振幅検出部６で振幅検出を行い、オフセット検出部７でオフセット検出を行う。例えば振幅検出はピーク値とボトム値との差を演算することで、またオフセット検出はピーク値とボトム値との和あるいはＡ／Ｄセンターレベルからの距離の差あるいは、ピーク値およびボトム値がそれぞれ所定のウィンドウ範囲に入っているか否かを検出する等により得ることができる。ゲイン制御部８は振幅検出値と所定振幅目標値とを比較して、振幅検出値が目標値よりも小さいときは可変ゲインアンプ部１のゲインを上げるように制御出力し、逆に振幅検出値が目標値よりも大きいときは可変ゲインアンプ部１のゲインを下げるように制御出力する。ゲイン制御部８は振幅検出値と所定振幅目標値とを比較して、振幅検出値が目標値よりも小さいときは可変ゲインアンプ部１の出力信号振幅を上げるように制御出力し、逆に振幅検出値が目標値よりも大きいときは可変ゲインアンプ部１の出力信号振幅を下げるように制御出力する。また、オフセット制御部９はオフセット検出値と所定オフセット目標値とを比較して、オフセット検出値が目標値よりも小さいときはオフセット部２の出力信号オフセットを上げるように制御出力し、逆にオフセット検出値が目標値よりも大きいときはオフセット部２の出力信号オフセットを下げるように制御出力する。ドロップアウト検出部１１では、例えばピーク検出部４出力を所定閾値で２値化することで再生信号の欠落を検出し、この信号を用いて制御部１２の制御動作を強制的にホールドする、あるいは制御応答速度を遅くすることで、図２３（ｂ）のような過敏な応答を抑制して図２４（ｂ）の様な波形にすることができる。
【００４９】
このようにして、記録媒体の欠陥等により発生する再生信号の局所変動を検出して、ゲイン制御およびオフセット制御をホールドする、あるいは制御応答速度を変えることにより、再生信号が欠陥通過後にＡ／Ｄ変換部３の入力ダイナミックレンジをオーバーする現象を抑えることが可能であり、常にＡ／Ｄ変換部３入力における信号振幅およびオフセットをほぼ一定に保つことができるため、信号欠落部を通過した後、再生信号がＡ／Ｄ変換部３の入力ダイナミックレンジに入り正常状態に引き込むまで無駄時間がかかって正しくデータ再生が出来ないといった問題がなくなり、欠陥通過後のデータエラーを最小限に抑えることができるという有効な効果がある。さらに、ドロップアウト検出の検出信号が図２３（ｃ）の欠落途中で中断することがなく図２４（ｃ）の様に正しく検出することができるため、特にＡ／Ｄ変換後にドロップアウト検出する構成をとる場合に有効である。
【００５０】
なお、ここではドロップアウト検出部１１出力によりゲイン制御部８のホールドあるいは制御応答速度の切り換えを行ったが、これは本信号処理装置の外部でドロップアウトを検出し生成した信号であっても構わない。またドロップアウトを検出した時にではなく、動作のホールドを希望する際に外部から入力する信号であっても構わない。
【００５１】
また、ドロップアウト検出部１１はピーク検出部４出力を入力するものとしたが、これは、ピーク検出部４出力，Ａ／Ｄ変換部３出力，ボトム検出部５出力，オフセット検出部７出力，振幅情報信号の少なくとも１つを入力するようにしても構わない。
【００５２】
さらに、図１８に示すようにスルーパス１ａ、即ち可変ゲインアンプ部１を通らない経路を設けて振幅情報信号を出力しこれをスイッチ２ａを介してオフセット部２に入力することにより、入力再生信号の信号振幅の絶対値情報を得ることが可能である。光ディスクプレーヤ等ではディスクの種別を判別する際に再生信号の信号振幅の絶対値情報を使用する場合が多く、こうした場合において可変ゲインアンプ部を通さずに信号振幅測定を可能にすることができる。
【００５３】
（実施の形態３）
この実施の形態３は、請求項５に記載の発明に対応するもので、入力再生信号から再生したクロックをサンプリングクロックとして用いるようにしたものである。
【００５４】
以下、本発明の第３の実施の形態について図面を参照しながら詳細に説明する。
この実施の形態３による信号処理装置のブロック図を図５に示す。
【００５５】
この信号処理装置は、再生信号入力に対しゲイン制御信号入力に応じたゲインとオフセット制御信号入力に応じたＤＣオフセットとを与えるゲインオフセット部１０と、このゲインオフセット部１０出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号およびオフセット情報信号によりゲインオフセット部１０のゲイン制御およびオフセット制御を行う制御部１２と、Ａ／Ｄ変換部３から出力されるサンプリングデータをもとにこれに位相同期したクロックを生成するＰＬＬ部１７とで構成される。
【００５６】
次に、第３の実施の形態の動作について説明する。情報記録媒体からの再生信号はゲインオフセット部１０で制御入力に応じたゲインとオフセットとが与えられた後、Ａ／Ｄ変換部３によりＰＬＬ部１７の出力クロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図５に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【００５７】
次に、ピーク検出値およびボトム検出値から振幅検出部６で振幅検出、オフセット検出部７でオフセット検出を行う。例えば振幅検出はピーク値とボトム値との差を演算することで、またオフセット検出はピーク値とボトム値との和あるいはＡ／Ｄセンターレベルからの距離の差あるいは、ピーク値およびボトム値がそれぞれ所定のウィンドウ範囲に入っているか否かを検出する等により得ることができる。制御部１２の動作については第１の実施の形態と同様であり、振幅検出値およびオフセット検出値に応じて、ゲインオフセット部１０の出力振幅、および、オフセットが所定目標値となるように制御を行う。ＰＬＬ部１７では再生信号が有するクロック成分抽出を行い、これにより生成されたクロックはＡ／Ｄ変換部３のサンプリングクロックとして用いる。ＰＬＬ部１７は、例えばＡ／Ｄ変換部３から出力されるサンプリングデータから位相誤差情報を抽出し、この誤差情報をもとに電圧制御発振器等を駆動して位相同期クロックの生成を行うものである。
【００５８】
このようにＡ／Ｄ変換部３のサンプリングクロックを、再生信号に位相同期したＰＬＬクロックとすることで再生速度に応じてＡ／Ｄ変換部３のサンプリング速度が自動的に変化し、これに伴いピーク検出およびボトム検出の時定数も適応的に変化し、ＣＡＶ再生対応が容易になり、また、ピーク検出部４およびボトム検出部５の動作クロックをＰＬＬクロックの１／ｎ（ｎは正の整数）とすることで動作クロック周波数を下げて消費電力の削減を図ることができる。このため、常にＡ／Ｄ変換部３入力における信号振幅およびオフセットはほぼ一定を保ち、安定なＡ／Ｄ変換処理ができる。
【００５９】
（実施の形態４）
この実施の形態４は、請求項６，請求項７に記載の発明に対応するもので、ドロップアウト等の検出時に再生クロックの発振周波数を固定するようにしたものである。
【００６０】
以下、本発明の第４の実施の形態について図面を参照しながら詳細に説明する。
この実施の形態４による信号処理装置のブロック図を図６に示す。
【００６１】
この信号処理装置は、再生信号入力に対しゲイン制御信号入力に応じたゲインとオフセット制御信号入力に応じたＤＣオフセットとを与えるゲインオフセット部１０と、このゲインオフセット部１０出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、ピーク検出部４出力を入力としこの入力信号の欠落を検出してホールド信号を出力するドロップアウト検出部１１と、振幅情報信号およびオフセット情報信号によりゲインオフセット部１０のゲイン制御およびオフセット制御を行う制御部１２と、Ａ／Ｄ変換部３から出力されるサンプリングデータをもとにこれに位相同期したクロックを生成するＰＬＬ部１７とで構成される。
【００６２】
次に、第４の実施の形態の動作について説明する。情報記録媒体からの再生信号はゲインオフセット部１０で制御入力に応じたゲインとオフセットとが与えられた後、Ａ／Ｄ変換部３によりＰＬＬ部１７の出力クロックでサンプリングされて量子化デジタル信号に変換される。このデジタル信号に対しピーク検出部４およびボトム検出部５でそのピーク検出およびボトム検出を行う。ピーク検出およびボトム検出動作については実施の形態１と同様であり、ともに所定クロック周期Ｔのクロックと同周期のクロックでこれを行ってもよいが、図６に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【００６３】
次に、ピーク検出値およびボトム検出値から振幅検出部６で振幅検出を行い、オフセット検出部７でオフセット検出を行う。例えば振幅検出はピーク値とボトム値との差を演算することで、またオフセット検出はピーク値とボトム値との和あるいはＡ／Ｄセンターレベルからの距離の差、あるいは、ピーク値およびボトム値がそれぞれ所定のウィンドウ範囲に入っているか否かを検出する等により得ることができる。制御部１２の動作については第１の実施の形態と同様であり、振幅検出値およびオフセット検出値に応じて、ゲインオフセット部１０の出力振幅、オフセットが所定目標値となるように制御を行う。ＰＬＬ部１７では再生信号が有するクロック成分抽出を行い、これにより生成されたクロックはＡ／Ｄ変換部３のサンプリングクロックとして用いる。ＰＬＬ部１７は、例えばＡ／Ｄ変換部３から出力されるサンプリングデータから位相誤差情報を抽出し、この誤差情報をもとに電圧制御発振器等を駆動して位相同期クロックの生成を行うものである。実施の形態１でも述べたように、ドロップアウト検出部１１で得られた信号で制御部１２の制御動作を強制的にホールドする、あるいは制御応答速度を遅くするとともに、ここではＰＬＬ部１７から出力されるサンプリングクロック周波数のホールドする、あるいは周波数応答速度を遅くするように制御する。
【００６４】
このようにＡ／Ｄ変換部３のサンプリングクロックを再生信号に位相同期したＰＬＬクロックとすることで再生速度に応じてＡ／Ｄ変換部３のサンプリング速度も自動的に変化するため、ＣＡＶ再生対応が容易になり、また、ピーク検出部４およびボトム検出部５の動作クロックをＰＬＬクロックの１／ｎ（ｎは正の整数）の周波数とすることで動作クロック周波数を下げて消費電力の削減を図ることができる。
【００６５】
さらに、記録媒体の欠陥等により発生する再生信号の局所変動を検出して、ゲイン制御およびオフセット制御およびＰＬＬ制御のホールドする、あるいは制御応答速度を変えることにより、欠陥通過中および通過後の再生信号がＡ／Ｄ変換部３の入力ダイナミックレンジをオーバーする現象を抑え、サンプリングクロックを安定に保つことが可能であり、常にＡ／Ｄ変換部入力における信号振幅およびオフセットをほぼ一定に保つことができるため、信号欠落部を通過した後、再生信号がＡ／Ｄ変換部の入力ダイナミックレンジに入り正常状態に引き込むまで無駄時間がかかって正しくデータ再生が出来ないといった問題がなくなり、欠陥通過後のデータエラーを最小限に抑えることができるという有効な効果がある。また、ドロップアウト検出の検出信号が図２３（ｃ）の様に欠落途中で中断することなく図２４（ｃ）の様に正しく検出することができるため、特にＡ／Ｄ変換後にドロップアウト検出するシステムにおいては有効である。
【００６６】
なお、ここではドロップアウト検出部１１の出力により制御部１２のホールドあるいは制御応答速度の切り換えを行ったが、これは本信号処理装置の外部でドロップアウトを検出し生成した信号であっても構わない。またドロップアウトを検出した時にではなく、動作のホールドを希望する際に外部から入力する信号であっても構わない。
【００６７】
また、ドロップアウト検出部１１はピーク検出部４出力を入力するものとしたが、これは、ピーク検出部４出力，Ａ／Ｄ変換部３出力，ボトム検出部５出力，オフセット検出部７出力，振幅情報信号の少なくとも１つを入力するようにしても構わない。
【００６８】
（実施の形態５）
この実施の形態５は、請求項８，請求項１７に記載の発明に対応するもので、同一の信号処理系で相異なる記録エリアの再生が可能となるようにしたものである。
【００６９】
以下、本発明の第５の実施の形態について図面を参照しながら詳細に説明する。
この実施の形態５による信号処理装置のブロック図を図７に示す。
【００７０】
この信号処理装置は、第１の再生信号入力に対しゲイン制御信号入力に応じたゲインとオフセット制御信号入力に応じたＤＣオフセットを与えるゲインオフセット部１０と、このゲインオフセット部１０出力とクロックを入力とし所定クロック周期Ｔのクロックでサンプリングを行いアナログ−デジタル変換してサンプリングデータを出力するＡ／Ｄ変換部３と、前記Ａ／Ｄ変換部３出力を入力としピーク検出動作を行うピーク検出部４と、前記Ａ／Ｄ変換部３出力を入力としボトム検出動作を行うボトム検出部５と、ピーク検出部出力４およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、第２の再生信号を入力とし光ディスク記録媒体上のエリア情報を判別して現在エリア情報を示すゲート信号を生成するゲート生成部１８と、振幅情報信号およびオフセット情報信号によりゲインオフセット部１０のゲイン制御およびオフセット制御を行うとともに、ゲート信号に応じてゲインおよびオフセットの独立制御が可能な制御部１２と、この制御部１２から出力されるゲイン・オフセット制御値を格納する第１の記憶部１９および第２の記憶部２０とで構成される。
【００７１】
次に、第５の実施の形態の動作について説明する。情報記録媒体からの第１の再生信号はゲインオフセット部１０で制御入力に応じたゲインとオフセットとが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図７に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【００７２】
次に、ピーク検出値およびボトム検出値から振幅検出部６で振幅検出を行い、オフセット検出部７でオフセット検出を行う。例えば振幅検出はピーク値とボトム値との差を演算することで、またオフセット検出はピーク値とボトム値との和あるいはＡ／Ｄセンターレベルからの距離の差、あるいはピーク値およびボトム値がそれぞれ所定のウィンドウ範囲に入っているか否かを検出する等により得ることができる。制御部１２の動作については第１の実施の形態と同様であり、振幅検出値およびオフセット検出値に応じて、ゲインオフセット部１０の出力振幅、オフセットが所定目標値となるように制御を行う。第２の再生信号はゲート信号生成部１８に入力され、光ディスク媒体のエリア情報を判別する。ここではＤＶＤ−ＲＡＭを例にあげてゲート信号生成部の動作について説明する。
【００７３】
図８はＤＶＤ−ＲＡＭの物理フォーマットを示している。この物理フォーマットはプリピットで形成されるアドレス領域と書き換えが可能なデータ領域とから成っている。データ領域は２つのＧｒｏｏｖｅ部に挟まれたＬａｎｄ部からなり、アドレス領域はＨｅａｄｅｒ１ないしＨｅａｄｅｒ４をそれぞれ２つずつ有している。プリピットはトラックのセンターからオフセットした位置に形成されており、図９に示すような４分割された光ディテクタ２０で受光した場合、内周側ディテクタから得られる信号（ａ）＋（ｂ）および外周側ディテクタから得られる信号（ｃ）＋（ｄ）の差信号をとると図１０（ａ）の様になる。この差信号が第２の再生信号であり、これをローパスフィルタに通すと図１０（ｂ）の様になる。図１０（ｂ）を２つの所定２値化レベルで２値化すると、図１０（ｃ），図１０（ｄ）が得られる。これらを論理加算（（ｃ）＋（ｄ））すればアドレス位置を示すゲート信号（ｅ）が得られる。制御部１２はアドレス領域でゲイン、オフセット制御を行うが、再生信号がアドレス領域からデータ領域になったとき、すなわち図１０（ｅ）のゲート信号が“Ｈ”から“Ｌ”に変化したとき、ゲイン、オフセット制御値をいったん第１の記憶部１９に格納し、第２の記憶部２０に格納されていた値をゲイン、オフセット制御値として与えてゲイン、オフセットの制御を行う。これにより、内周側ディテクタから得られる信号（ａ）＋（ｂ）および外周側ディテクタから得られる信号（ｃ）＋（ｄ）の和信号である第１の再生信号が図１１（ａ）の様な場合であっても、アドレス領域と、データ領域とが独立にゲイン、オフセット制御されて、Ａ／Ｄ変換部３入力では図１１（ｂ）のようになる。
【００７４】
このように異なる記録エリア領域を検出してゲート信号を生成し、記録エリア毎に独立にゲイン制御およびオフセット制御を行うことで、記録エリア毎の信号振幅差、オフセット差を吸収し、常にＡ／Ｄ変換部入力における信号振幅およびオフセットを一定に保つことができ、１つの信号処理系で異なる記録エリアの再生が可能になる。
【００７５】
なお、ゲート信号はゲート生成部１８からの信号を使用したが、本信号処理装置の外部で検出した信号であっても構わない。また第２の再生信号のエリア情報を判別した時にではなく、ゲイン、オフセット制御の切り替えを希望する際に外部から入力する信号であっても構わない。
【００７６】
（実施の形態６）
この実施の形態６は、請求項９，請求項１０，請求項１１に記載の発明に対応するもので、実施の形態５におけるゲインオフセット部および制御部の具体的な構成例を示すものである。
【００７７】
以下、本発明の第６の実施の形態について図面を参照しながら詳細に説明する。
この実施の形態６による信号処理装置のブロック図を図１２に示す。
【００７８】
この信号処理装置は、第１の再生信号入力に対しゲイン制御信号入力に応じたゲインを与える可変ゲインアンプ部１と、この可変ゲインアンプ１部出力を入力としオフセット制御信号入力に応じたＤＣオフセットを印加するオフセット部２と、このオフセット部２出力とクロックとを入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、第２の再生信号を入力とし光ディスク記録媒体上のエリア情報を判別して現在エリア情報を示すゲート信号を生成するゲート生成部１８と、振幅情報信号と振幅目標値との大小関係に応じて可変ゲインアンプ部１の制御を行うとともに、ゲート信号に応じて記録エリア毎に独立にゲイン制御が可能なゲイン制御部８と、このゲイン制御部８から出力されるゲイン制御値を格納する第１のゲイン記憶部２２および第２のゲイン記憶部２３と、オフセット情報信号とオフセット目標値との大小関係に応じてオフセット部２の制御を行うとともに、ゲート信号に応じて記録エリア毎に独立にオフセット制御が可能なオフセット制御部９と、このオフセット制御部９から出力されるオフセット制御値を格納する第１のオフセット記憶部２４および第２のオフセット記憶部２５とで構成される。
【００７９】
そして、この可変ゲインアンプ部１およびオフセット部２が、実施の形態５のゲインオフセット部１０に、また、ゲイン制御部８およびオフセット制御部９が実施の形態１の制御部１２に、それぞれ対応するものである。
【００８０】
次に、第６の実施の形態の動作について説明する。情報記録媒体からの第１の再生信号は可変ゲインアンプ部１でゲイン制御入力に応じたゲインが与えられ、またオフセット部２でオフセット制御入力に応じたオフセットが与えられた後、Ａ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図１２に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【００８１】
また、ゲイン制御部８およびオフセット制御部９のゲイン、オフセット制御動作についても実施の形態１と同様である。第２の再生信号はゲート信号生成部１８に入力され、光ディスク媒体のエリア情報を判別する。ゲイン制御部８はアドレス領域でゲイン制御を行うが、アドレス領域からデータ領域になったとき、ゲイン制御値をいったん第１のゲイン記憶部２２に格納し、第２のゲイン記憶部２３に格納されていた値をゲイン制御値として与えてゲインの制御を行う。また、オフセット制御部９はアドレス領域でオフセット制御を行うが、アドレス領域からデータ領域になったとき、オフセット制御値をいったん第１のオフセット記憶部２４に格納し、第２のオフセット記憶部２５に格納されていた値をオフセット制御値として与えてオフセットの制御を行う。
【００８２】
これにより、第１の再生信号が図１１（ａ）の様な場合であっても、アドレス領域と、データ領域が独立にゲイン、オフセット制御されて、図１１（ｂ）のようになる。
【００８３】
このように異なる記録エリア領域を検出してゲート信号を生成し、記録エリア毎に独立にゲイン制御およびオフセット制御を行うことで、記録エリア毎の信号振幅差、オフセット差を吸収し、常にＡ／Ｄ変換部入力における信号振幅およびオフセットを一定に保つことができる。
【００８４】
なお、ゲート信号はゲート生成部１８からの信号を使用したが、本信号処理装置の外部で検出した信号であっても構わない。また第２の再生信号のエリア情報を判別した時にではなく、ゲイン、オフセット制御の切り替えを希望する際に外部から入力する信号であっても構わない。
【００８５】
また、ゲイン、オフセット共にエリア毎の独立制御を行ったが、ゲインのみあるいはオフセットのみ記録エリアに応じた独立制御を行うような構成であっても構わない。
【００８６】
（実施の形態７）
この実施の形態７は、請求項１２に記載の発明に対応するもので、Ａ／Ｄ変換部の前段側に信号のイコライズを行うイコライズ部を設けるようにしたものである。
【００８７】
以下、本発明の第７の実施の形態について図面を参照しながら詳細に説明する。
この実施の形態７による信号処理装置のブロック図を図１３に示す。
【００８８】
この信号処理装置は、再生信号入力に対しゲイン制御信号入力に応じたゲインとオフセット制御信号入力に応じたＤＣオフセットを与えるゲインオフセット部１０と、このゲインオフセット部１０出力を入力とし高周波数域を強調するイコライザ部２６と、このイコライザ部２６出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期Ｔのｎ倍（ｎは正の整数）の周期のクロックでピーク検出動作を行うピーク検出部４と、Ａ／Ｄ変換部３出力を入力とし前記クロック周期Ｔのｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号およびオフセット情報信号によりゲインオフセット部１０のゲイン制御およびオフセット制御を行いまた外部ホールド信号入力により制御動作のホールドあるいは制御速度の切り換えが可能な制御部１２とで構成される。
【００８９】
次に、第７の実施の形態の動作について説明する。情報記録媒体からの再生信号はゲインオフセット部１０で制御入力に応じたゲインとオフセットとが与えられた後、イコライザ部２６で波形等化処理が行われる。高密度記録された光記録媒体等を再生する場合、光学的な周波数特性により短い記録マークの信号振幅が低下してしまうため、イコライザ部２６でこの周波数帯域をブーストアップすることで信号のＳＮＲ（Ｓｉｇｎａｌ  ｔｏ  Ｎｏｉｓｅ  Ｒａｔｉｏ）を改善する必要がある。また、イコライザ部２６出力はＡ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図１３に示すようにともにそのｎ倍（ｎは正の整数）の周期や、あるいはそれぞれｍ倍およびｎ倍の周期のクロックでこれを行って、消費電力を削減することも可能である。
【００９０】
次に、ピーク検出値およびボトム検出値から振幅検出部６で振幅検出を行い、オフセット検出部７でオフセット検出を行う。振幅検出、オフセット検出についても実施の形態１と同様である。制御部１２では振幅検出値とオフセット検出値とが目標値と等しくなるようにゲインオフセット部１０のゲイン・オフセット制御を行う。制御動作については実施の形態１と同様である。
【００９１】
イコライザ部２６内の信号振幅は、ＳＮＲの観点からイコライザ部２６のダイナミックレンジ範囲内で最大振幅で信号を通過させることが望ましいが、本実施の形態のようにＡ／Ｄ変換部３の前段にイコライザ部２６を配置することにより、イコライザ部２６の入力信号振幅および入力信号オフセットを一定になるように制御することが可能であり、信号振幅および入力信号オフセットを一定になるように制御することができる。また、これにより、ＳＮＲを最大限にかせぐことが可能であり、イコライザ部２６前段で発生する回路オフセット等のばらつきマージンを考慮する必要がなくなるため、イコライザのダイナミックレンジ内で最大振幅で信号を入力することができる。さらには、図１４に示すように、光ディスクに形成された短いピットにより信号振幅が大きくならない場合等では図中実線で示されたように信号が飽和振幅とならず、イコライザ部が存在しない場合は、この短いピットによる入力再生信号のピーク（あるいはボトム）を正しく検出できないが、イコライザ部を設けることでピット長が短い場合でも同図中の破線で示すようにその信号が飽和状態となり、正しくピーク検出（あるいはボトム検出）を行うことが可能となり、これによりゲイン制御やオフセット制御の精度向上を図ることができる。
【００９２】
（実施の形態８）
この実施の形態８は、請求項１３記載の発明に対応するもので、実施の形態７におけるゲインオフセット部を２つのサブブロックに分割し、その間にイコライズ部を設けたものである。
【００９３】
以下、本発明の第８の実施の形態について図面を参照しながら詳細に説明する。
この実施の形態８による信号処理装置のブロック図を図１５に示す。
【００９４】
この信号処理装置は、再生信号入力に対しゲイン制御信号入力に応じたゲインを与える可変ゲインアンプ部１と、この可変ゲインアンプ部１出力を入力とし高周波数域を強調するイコライザ部２６と、このイコライザ部２６を入力としオフセット制御信号入力に応じたＤＣオフセットを印加するオフセット部２と、このオフセット部２出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期のｎ倍（ｎは正の整数）の周期のクロックでピーク検出動作を行うピーク検出部４と、Ａ／Ｄ変換部３出力を入力とし前記クロック周期のｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号と振幅目標値との大小関係に応じて可変ゲインアンプ部１の制御を行うゲイン制御部８と、オフセット情報信号とオフセット目標値との大小関係に応じてオフセット部２の制御を行うオフセット制御部９とで構成される。
【００９５】
そして、この可変ゲインアンプ部１およびオフセット部２が、実施の形態７のゲインオフセット部１０に、また、ゲイン制御部８およびオフセット制御部９が実施の形態７の制御部１２に、それぞれ対応するものである。
【００９６】
次に、第８の実施の形態の動作について説明する。情報記録媒体からの再生信号は可変ゲインアンプ部１でゲイン制御入力に応じたゲインが与えられ、イコライザ部２６で波形等化処理が行われた後、オフセット部２でオフセット制御入力に応じたオフセットが与えられる。
【００９７】
高密度記録された光記録媒体等を再生する場合、光学的な周波数特性により短い記録マークの信号振幅が低下してしまうため、イコライザ部２６でこの周波数帯域をブーストアップすることで信号のＳＮＲ（Ｓｉｇｎａｌ  ｔｏ  Ｎｏｉｓｅ  Ｒａｔｉｏ）を改善する必要がある。また、イコライザ部２６出力はＡ／Ｄ変換部３により所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図１５に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【００９８】
次に、ピーク検出値およびボトム検出値から振幅検出部６で振幅検出を行い、オフセット検出部７でオフセット検出を行う。振幅検出、オフセット検出についても実施の形態１と同様である。また、ゲイン制御部８およびオフセット制御部９のゲイン、オフセット制御動作については実施の形態２と同様である。
【００９９】
イコライザ部２６内の信号振幅は、ＳＮＲの観点からイコライザ部２６のダイナミックレンジ範囲内で最大振幅で信号を通過させることが望ましいが、本実施の形態のように可変ゲインアンプ部１の後段にイコライザ部２６を配置することにより、信号振幅が一定になるように制御することが可能であり、イコライザ部２６前段で発生する回路ゲインばらつきマージンを考慮する必要がなくなるため、イコライザ部のダイナミックレンジ最大に信号を入力することができる。さらには、図１４に示すように、イコライザ部を設けることでピット長が短い場合でも同図中の破線で示すようにその信号が飽和状態となり、正しくピーク検出（あるいはボトム検出）を行うことが可能となり、これによりゲイン制御やオフセット制御の精度向上を図ることができる。
【０１００】
（実施の形態９）
この実施の形態９は、請求項１４に記載の発明に対応するもので、実施の形態８におけるオフセット部とイコライザ部との接続順序を入れ替えたものである。
【０１０１】
以下、本発明の第９の実施の形態について図面を参照しながら詳細に説明する。
この実施の形態９による信号処理装置のブロック図を図１６に示す。
【０１０２】
この信号処理装置は、再生信号入力に対しゲイン制御信号入力に応じたゲインを与える可変ゲインアンプ部１と、この可変ゲインアンプ部１出力を入力としオフセット制御信号入力に応じたＤＣオフセットを印加するオフセット部２と、このオフセット部２出力を入力とし高周波数域を強調するイコライザ部２６と、このイコライザ部２６出力を入力とし所定クロック周期Ｔのクロックでサンプリングを行いアナログ−デジタル変換してサンプリングデータを出力するＡ／Ｄ変換部３と、このＡ／Ｄ変換部３出力を入力とし前記クロック周期のｎ倍（ｎは正の整数）の周期のクロックでピーク検出動作を行うピーク検出部４と、Ａ／Ｄ変換部３出力を入力とし前記クロック周期のｎ倍（ｎは正の整数）の周期のクロックでボトム検出動作を行うボトム検出部５と、ピーク検出部４出力およびボトム検出部５出力を入力としてＡ／Ｄ変換部３入力の信号振幅を演算して振幅情報信号を出力する振幅検出部６と、ピーク検出部４出力およびボトム検出部５出力を入力としＡ／Ｄ変換部３入力の信号オフセットを演算してオフセット情報信号を出力するオフセット検出部７と、振幅情報信号と振幅目標値との大小関係に応じて可変ゲインアンプ１の制御を行うゲイン制御部８と、オフセット情報信号とオフセット目標値との大小関係に応じてオフセット部の制御を行うオフセット制御部９とで構成される。
【０１０３】
そして、この可変ゲインアンプ部１およびオフセット部２が、実施の形態７のゲインオフセット部１０に、また、ゲイン制御部８およびオフセット制御部９が実施の形態７の制御部１２に、それぞれ対応するものである。
【０１０４】
次に、第９の実施の形態の動作について説明する。情報記録媒体からの再生信号は可変ゲインアンプ部１でゲイン制御入力に応じたゲインが与えられ、オフセット部２でオフセット制御入力に応じたオフセットが与えられた後、イコライザ部２６で波形等化処理が行われる。高密度記録された光記録媒体等を再生する場合、光学的な周波数特性により短い記録マークの信号振幅が低下してしまうため、イコライザ部２６でこの周波数帯域をブーストアップすることで信号のＳＮＲ（Ｓｉｇｎａｌ  ｔｏ  Ｎｏｉｓｅ  Ｒａｔｉｏ）を改善する必要がある。また、イコライザ部２６出力はＡ／Ｄ変換部３で所定クロック周期Ｔのクロックでサンプリングされて量子化デジタル信号に変換される。このデジタル信号からピーク検出部４およびボトム検出部５でピーク検出およびボトム検出を行う。ピーク検出およびボトム検出動作については実施の形態１と同様であり、ともに所定クロック周期Ｔのクロックと同周期のクロックでこれを行ってもよいが、図１６に示すようにともにそのｎ倍（ｎは正の整数）の周期や、あるいはそれぞれｍ倍およびｎ倍（ｍ，ｎは互いに独立した正の整数）の周期のクロックでこれを行って、消費電力を削減することも可能である。
【０１０５】
次に、ピーク検出値およびボトム検出値から振幅検出部６で振幅検出を、オフセット検出部７でオフセット検出を行う。振幅検出、オフセット検出についても実施の形態１と同様である。また、ゲイン制御部８およびオフセット制御部９のゲイン、オフセット制御動作については実施の形態２と同様である。
【０１０６】
イコライザ部２６内の信号振幅は、ＳＮＲの観点からイコライザ部２６のダイナミックレンジ範囲内で最大振幅で信号を通過させることが望ましいが、本実施の形態のようにＡ／Ｄ変換部３の前段にイコライザ部２６を配置することにより、信号振幅およびオフセットを一定になるように制御することが可能であり、イコライザ部２６前段で発生するゲイン、オフセットばらつきマージンを考慮する必要がなくなるため、イコライザのダイナミックレンジ最大に信号を入力することができる。さらには、図１４に示すように、イコライザ部を設けることでピット長が短い場合でも同図中の破線で示すようにその信号が飽和状態となり、正しくピーク検出（あるいはボトム検出）を行うことが可能となり、これによりゲイン制御やオフセット制御の精度向上を図ることができる。
【０１０７】
（実施の形態１０）
この実施の形態１０は、請求項２１，請求項２２に記載の発明に対応するもので、サーボコントローラを設けたものである。
【０１０８】
以下、本発明の第１０の実施の形態について図面を参照しながら詳細に説明する。
この実施の形態１０による信号処理装置のブロック図を図１９（ａ）に示す。
【０１０９】
この信号処理装置の基本構成は、第１の実施の形態と同様であるが、振幅検出部出力を入力として再生信号振幅情報をもとにピックアップのフォーカス制御位置あるいはトラッキング制御位置を学習するサーボコントローラ２７をさらに有している。また、この図１９（ａ）はこの信号処理装置を含む光ディスク装置の概略構成を示すもので、情報記録媒体としての光ディスク１００は図示しないスピンドルモータにより駆動される。また、この光ディスク１００から情報を読み出す光ピックアップ２００は、光ディスク１００に照射するレーザ光を発振するレーザ２０１と、このレーザ２０１から照射する照射光と光ディスク１００で反射した反射光との経路を異なるものとするビームスプリッタ２０４と、このビームスプリッタ２０４を通過した照射光を光ディスク１００の情報面に集光するためのレンズ２０２と、サーボコントローラ２７からのフォーカス制御信号およびトラッキング制御信号によりレンズ２０２を駆動するアクチュエータ２０３と、ビームスプリッタ２０４を通過した光ディスク１００からの反射光を光電変換してゲインオフセット部１０に再生信号として出力するフォトディテクタ２０５とから構成されている。
【０１１０】
光ディスク等でディスクに記録されたピット列情報を読み取るためには、フォーカス制御、トラッキング制御等が必要となるが、光学的ばらつきあるいは電気的オフセットにより最適制御位置が変化するため、良好な再生状態を確保するためには制御位置の学習を行なう必要がある。その学習方法としては、再生信号振幅を最大にする方法、ジッタを最小にする方法等がある。再生信号振幅を最大になるように学習するためには、入力再生信号の変化が振幅検出部６から出力される振幅情報として反映される必要がある。
【０１１１】
即ち、図１９（ｂ）に示すように、まずステップＳ１において、サーボコントローラ２７は制御部１２に対し、ゲイン制御およびオフセット制御をオン状態になるように制御することで、信号振幅を一定にして振幅を確保してＡ／Ｄ変換の際の分解能を確保しておく。次に、ステップＳ２において、サーボコントローラ２７は制御部１２に対し、ゲイン制御をホールドするように指令しておく。これらの準備が完了した段階で、サーボコントローラ２７はステップＳ３においてフォーカスおよびトラッキング学習（例えば振幅が最大になるように学習）を行うように制御部１２に指令を発する。そして、学習が完了した段階で、サーボコントローラ２７は再びゲイン及びオフセット制御を開始するよう、制御部１２を制御する。
【０１１２】
このように、学習期間中はゲイン制御を強制的にホールドすることで入力再生信号の振幅変化を振幅検出部出力に伝達することが可能である。また、同時にオフセット制御もホールドすることで振幅検出動作を安定にすることが可能である。
【０１１３】
また、学習前にゲイン制御およびオフセット制御動作を行い、両制御が整定した後に学習動作に入ることで、入力再生信号振幅に関わらずＡ／Ｄ変換部入力での信号振幅を略一定にすることが可能であり、学習の感度を一定に保つことが可能である。例えば、ＤＶＤ−ＲＯＭメディアに対し、ＤＶＤ−ＲＷメディアでは反射率が１／４〜１／５倍と低く、入力再生信号振幅が小さくなってしまうため、このままでは振幅検出出力も小さくなり、学習感度が得られないといった問題がある。しかし、学習前にゲイン制御、オフセット制御動作を行ない、Ａ／Ｄ変換部３の入力信号振幅が所定値に整定した後に、両制御をホールドして学習を行なうことで、アナログ入力振幅変動を考慮する必要がなくなり安定な学習が可能である。
【産業上の利用可能性】
【０１１４】
このように、本発明の信号処理装置によれば、光ディスク等の情報記録媒体から読み出したアナログ再生信号をＡ／Ｄ変換して信号処理を行う際に、情報記録媒体の信号欠落部を通過後にＡ／Ｄ変換部のダイナミックレンジを越える現象を抑圧でき、安定したＡ／Ｄ変換を行うことができ、欠陥通過後のデータエラーを最小限に抑えることができる。またドロップアウト検出の検出精度を向上できるため、この信号処理装置を用いた光ディスク装置の信頼性を向上することが可能である。
【図面の簡単な説明】
【０１１５】
【図１】第１の実施の形態の再生信号処理装置のブロック図。
【図２】ピーク検出部の一例を示すブロック図。
【図３】ピーク検出部の動作を示すブロック図。
【図４】第２の実施の形態の再生信号処理装置のブロック図であり、図４（ａ）はその全体構成を示すブロック図、図４（ｂ）は、そのゲイン制御部またはオフセット制御部の内部構成を示すブロック図。
【図５】第３の実施の形態の再生信号処理装置のブロック図。
【図６】第４の実施の形態の再生信号処理装置のブロック図。
【図７】第５の実施の形態の再生信号処理装置のブロック図。
【図８】ＤＶＤ−ＲＡＭの物理フォーマットを示す図。
【図９】光ディテクタを示す図。
【図１０】ゲート信号生成の様子を表す信号図であり、図１０（ａ）は第２の再生信号を示す信号図、図１０（ｂ）はＬＰＦ通過後の再生信号を示す信号図、図１０（ｃ）は第１の２値化信号を示す信号図、図１０（ｄ）は第２の２値化信号を示す信号図、図１０（ｅ）はゲート信号を示す信号図。
【図１１】ゲイン・オフセット制御の様子を表す信号図であり、図１１（ａ）は第１の再生信号を示す信号図、図１１（ｂ）はＡ／Ｄ変換部の入力波形を示す信号図、図１１（ｃ）はゲート信号を示す信号図。
【図１２】第６の実施の形態の再生信号処理装置のブロック図。
【図１３】第７の実施の形態の再生信号処理装置のブロック図。
【図１４】第７の実施の形態の再生信号処理装置の効果を説明するための信号図。
【図１５】第８の実施の形態の再生信号処理装置のブロック図。
【図１６】第９の実施の形態の再生信号処理装置のブロック図。
【図１７】ゲインオフセット部を通さない経路を有する第１の実施の形態の再生信号処理装置の変形例のブロック図。
【図１８】可変ゲインアンプ部を通さない経路を有する第２の実施の形態の再生信号処理装置の他の変形例のブロック図。
【図１９】は第１０の実施の形態の再生信号処理装置を含む光ディスク装置を示す図であり、図１９（ａ）はその全体構成を示すブロック図、図１９（ｂ）はその学習制御動作のフローチャートを示す図。
【図２０】第１の従来例の信号処理装置のブロック図。
【図２１】再生信号にＤＣオフセットを持つ場合の再生波形を表す図。
【図２２】第２の従来例の信号処理装置のブロック図。
【図２３】入力再生信号に信号欠落部が存在する場合の問題点を説明するための信号図。
【図２４】入力再生信号に信号欠落部が存在する場合の問題点を解消する動作を説明するための信号図。
【手続補正３】
【補正対象書類名】図面
【補正対象項目名】全図
【補正方法】変更
【補正の内容】
【図１】
2003077248.tif 000040
【図２】
2003077248.tif 000041
【図３】
2003077248.tif 000042
【図４】
2003077248.tif 000043
【図５】
2003077248.tif 000044
【図６】
2003077248.tif 000045
【図７】
2003077248.tif 000046
【図８】
2003077248.tif 000047
【図９】
2003077248.tif 000048
【図１０】
2003077248.tif 000049
【図１１】
2003077248.tif 000050
【図１２】
2003077248.tif 000051
【図１３】
2003077248.tif 000052
【図１４】
2003077248.tif 000053
【図１６】
2003077248.tif 000054
【図１７】
2003077248.tif 000055
【図１８】
2003077248.tif 000056
【図１９】
2003077248.tif 000057
【図２０】
2003077248.tif 000058
【図２１】
2003077248.tif 000059
【図２２】
2003077248.tif 000060
【図２３】
2003077248.tif 000061
【図２４】
2003077248.tif 000062
【図１５】
2003077248.tif 000063
【国際調査報告】
2003077248.tif 000064
2003077248.tif 000065
2003077248.tif 000066
2003077248.tif 000067